(57)【要約】【課題】広い帯域幅を確保しつつ収容可能なユーザ数を維持し、ソフトハンドオーバ時において効率よく回線をシェアし、可変通信レートを用いたときにおいてデータ残留を回避し、さらに、再送の増加を防止可能とする。【解決手段】第２の基地局３は、第１の基地局２から転送された残留パケットデータ及び別途前記第２の基地局３に与えられた新規パケットデータの双方を前記転送の完了を待たずに、移動局４に対して送信することを可能とした制御部を備え、前記第２の基地局３は、前記移動局４へのパケットデータの伝送において、取得したパケットデータを無線伝送路へ送出すべく無線信号への変換処理を実行する、前記移動局４との無線通信のインタフェース部として機能し、前記移動局４は、前記制御部による制御を受けたパケットデータを受信する受信部を含む、ようにする。【選択図】図９
2008228318.tif 000002
【特許請求の範囲】
【請求項１】
移動局の移動に応じて実行するハンドオーバ処理に応じて、第１の基地局における残留パケットデータを第２の基地局に転送する移動通信システムにおいて、
前記第２の基地局は、前記第１の基地局から転送された前記残留パケットデータ及び別途前記第２の基地局に与えられた新規パケットデータの双方を前記転送の完了を待たずに、前記移動局に対して送信することを可能とした制御部を備え、
前記第２の基地局は、前記移動局へのパケットデータの伝送において、取得したパケットデータを無線伝送路へ送出すべく無線信号への変換処理を実行する、前記移動局との無線通信のインタフェース部として機能し、
前記移動局は、前記制御部による制御を受けたパケットデータを受信する受信部を含む、
ことを特徴とする、移動通信システム。
【請求項２】
移動局の移動に応じて実行するハンドオーバ処理に応じて、第１の基地局における残留パケットデータを第２の基地局に転送する移動通信システムにおける送信制御方法において、
前記第２の基地局は、前記移動局へのパケットデータの伝送において、取得したパケットデータを無線伝送路へ送出すべく無線信号への変換処理を実行する、前記移動局との無線通信のインタフェース部として機能し、
前記第２の基地局は、前記第１の基地局から転送された前記残留パケットデータ及び別途前記第２の基地局に与えられた新規パケットデータの双方を前記転送の完了を待たずに、前記移動局に対して送信し、
前記移動局は、前記制御部による制御を受けたパケットデータを受信する、
ことを特徴とする、移動通信システムにおける送信制御方法。
【請求項３】
移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、
前記ハンドオーバ元の基地局から転送された前記残留パケットデータ及び別途上位ノードから与えられた新規パケットデータの双方を前記転送の完了を待たずに、前記移動局に対して送信することを可能とした制御部を備え、
ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する、
ことを特徴とする、基地局。
【発明の詳細な説明】
【技術分野】
【０００１】
本発明は、Ｗ−ＣＤＭＡ（Ｗｉｄｅｂａｎｄ−Ｃｏｄｅ Ｄｉｖｉｓｉｏｎ Ｍｕｌｔｉｐｌｅ Ａｃｃｅｓｓ：広帯域ＣＤＭＡ）システムにおける高速・大容量通信時のソフトハンドオーバに関し、特に、ＤＳＣＨ（Ｄｏｗｎｌｉｎｋ Ｓｈａｒｅｄ Ｃｈａｎｎｅｌ）およびＨＳ−ＤＳＣＨ（Ｈｉｇｈ Ｓｐｅｅｄ Ｄｏｗｎｌｉｎｋ Ｓｈａｒｅｄ Ｃｈａｎｎｅｌ）に用いて好適な、移動通信システム及び同システムにおける送信制御方法及び基地局に関する。
【背景技術】
【０００２】
近年、ＣＤＭＡ移動通信システムの開発が急速に進展している。また、Ｗ−ＣＤＭＡシステムの商用サービスも開始され、現在の主サービスである音声および静止画のみならず、動画などの大容量データの送受信が可能となっている。この状況において、第３世代移動通信システムの標準化のための団体として３ＧＰＰ／３ＧＰＰ２（３ｒｄ Ｇｅｎｅｒａｔｉｏｎ Ｐａｒｔｎｅｒｓｈｉｐ Ｐｒｏｊｅｃｔ／３ｒｄ Ｇｅｎｅｒａｔｉｏｎ Ｐａｒｔｎｅｒｓｈｉｐ Ｐｒｏｊｅｃｔ ２）が組織され、この３ＧＰＰ／３ＧＰＰ２は、より高品質なサービスを実現できるシステムを指向し、Ｗ−ＣＤＭＡ方式などに基づいて様々の仕様を整備している。
【０００３】
図３８はＷ−ＣＤＭＡシステムの概略的な構成図である。この図３８に示すＷ−ＣＤＭＡシステムは、交換機１０１を含むコアネットワーク（Ｃｏｒｅ Ｎｅｔｗｏｒｋ：ＣＮ）１００と、無線ネットワーク制御装置（ＲＮＣ：Ｒａｄｉｏ Ｎｅｔｗｏｒｋ Ｃｏｎｔｒｏｌｌｅｒ）１０２−０，１０２−１と、基地局（ＢＴＳ：Ｂａｓｅ Ｔｒａｎｓｍｉｔｔｉｎｇ Ｓｔａｔｉｏｎ）１０３−０〜１０３−５と、移動機（ＵＥ：Ｕｓｅｒ Ｅｑｕｉｐｍｅｎｔ）１０４との各ノードをそなえて構成されている。ここで、ノードとは、特に断らない限り、パケットの交換，送信および転送の各機能を実施する装置の意味で使用する。また、この図３８に示す各ノード１０１，１０２−０，１０２−１，１０３−０〜１０３−５，１０４は、いずれも、ＡＴＭ（Ａｓｙｎｃｈｒｏｎｏｕｓ．Ｔｒａｎｓｆｅｒ Ｍｏｄｅ）伝送路を介して物理的に接続されている。
【０００４】
３ＧＰＰが規定するハンドオーバは、移動機１０４がハンドオーバ前に通信している基地局１０３−１から離れて、他の基地局１０３−２の通信エリアに移動した場合に、無瞬断かつ品質を維持したままトランスポートチャンネルなどの無線リソース（無線チャネル，無線キャリア）を切り替えるものであり、この切り替えは、ソフトハンドオーバによって実現されている。
【０００５】
図３９（ａ）はハンドオーバ前の状態を示す図であり、この図３９（ａ）に示す移動機１０４は、基地局１０３−０〜１０３−５のうち、基地局１０３−１，１０３−２のそれぞれと常時各１本のブランチ（物理的な無線回線又は無線リンク）を設定し、無線フレームを送受信する。そして、移動機１０４は、基地局１０３−１，１０３−２のそれぞれに対して同一データを同時に送信する。また、基地局１０３−１，１０３−２は、受信データをＡＴＭ伝送路によりＲＮＣ１０２−０に送信する。ＲＮＣ１０２−０は、これらの複数のデータを処理し、ＡＴＭ伝送路を介して、その複数のデータを交換機１０１側又は他の基地局１０３−０〜１０３−５に送信する。
【０００６】
さらに、ハンドオーバに関し、移動機１０４は、受信データの品質などをモニタして無線状況（電波状態）を常時監視し、品質のよいデータを選択して復調する。これにより、移動機１０４は、その移動に伴って、電界強度の大きい無線フレーム（無線信号）を受信すると、その無線フレームを送信する基地局１０３−０〜１０３−５との間に新たなブランチを追加する。
【０００７】
図３９（ｂ）はハンドオーバ後の状態を示す図であり、移動機１０４の移動に伴って、設定されていた基地局１０３−２のブランチの品質が劣化すると、移動機１０４は、そのブランチを開放して削除し、基地局１０３−１と通信する。
この移動機１０４によるソフトハンドオーバ手順により、無線リンクが無瞬断で切り替えられていく。
【発明の開示】
【発明が解決しようとする課題】
【０００８】
しかしながら、移動機１０４がソフトハンドオーバをするときに必要なチャネル数は、ハンドオーバ元ノードとハンドオーバ先ノードとの少なくとも２チャネルである。このため、無線フレームの送受信に要する帯域は、通常帯域の倍の帯域を要する。さらに、通信データの伝送速度（通信レート）が増大するに従って、１チャネル当たりに必要な帯域が増大するため、移動機１０４がハンドオーバ状態において複数のチャネルを用いて同一信号を送信する場合は、１ユーザ当たりに使用される帯域幅が非常に大きくなる。この帯域幅が大きくなると、無線区間における干渉を増大させ通信品質の低下を引き起こすとともに、収容可能なユーザ数の低下を招く。
【０００９】
従来の技術を用いて、帯域幅の増大とユーザ数の低下とを解決するためには、各ノードおよび各伝送路に必要な処理能力を向上させ，設備数を増加させなければならず、コストパフォーマンスの観点からデメリットが大きい。さらに、以下に示す（Ｓ１）〜（Ｓ５）に示す課題がある。
（Ｓ１）将来の高速データ通信は、信号送受信に要する帯域幅が非常に大きくなるとともに従量課金の導入が進むので、接続方法は、データの有無にかかわらず、常時回線を設定する方法が主流になる。従って、効率の観点から、Ｗ−ＣＤＭＡシステムは、各移動機１０４に広帯域の無線リソースを割り当てる方法に比して十分に広い帯域を有する共有チャネル（共有回線）を１本だけ用意し、これにより、各移動機１０４が必要なときにチャネルをシェアして使用する方法が望ましい。この半面、ソフトハンドオーバのように常時複数のチャネルに対して、同一データを同時に送信することは困難である。
【００１０】
（Ｓ２）この場合、移動機１０４は、ハンドオーバ元ノードの共有チャネルからハンドオーバ先ノードの共有チャネルに切り替える必要があるが、移動機１０４が切り替えている間はデータ通信が瞬断する。また、伝送路のＩＰ（Ｉｎｔｅｒｎｅｔ Ｐｒｏｔｏｃｏｌ）化およびデータ通信の高速化を考慮すると、多量のデータを多数の細かいパケットに分割して送信する方法よりも、データを１パケット化して下位ノードへ送信し下位ノードが無線区間における通信レートに合わせてそのデータを分割しその分割したデータを移動機１０４に送信する方法が望ましく、伝送路の利用効率が高い。
【００１１】
従って、この効率性と先に述べた瞬断とを考慮すると、ハンドオーバ状態において、ハンドオーバ元ノードが一括受信して保持しているデータが全部送信されないまま残留する可能性がある。
（Ｓ３）データ損失を防止するために、従来の方法は、ハンドオーバ元ノードの上位レイヤがハンドオーバ元ノード自身の残留データを廃棄し、上位の通信プロトコルに基づいて再送するようになっている。しかしながら，この再送の増加は通信レートの低下を引き起こす。
【００１２】
（Ｓ４）同様に、再送の増加は、不要なトラヒックの増加を招くので、各ノードおよび各伝送路の処理能力（例えば、プロトコル処理、信号送受信又は課金処理などの能力）を圧迫する。すなわち、設備についてのコストパフォーマンスが悪化する。
（Ｓ５）さらに、通信のリアルタイム性が低下するのでサービスの質の劣化を招く。
本発明は、このような課題に鑑み創案されたもので、広い帯域幅を確保しつつ収容可能なユーザ数を維持し、ソフトハンドオーバ時において効率よく回線をシェアし、可変通信レートを用いたときにおいてデータ残留を回避し、さらに、再送の増加を防止可能な、移動通信システム及び同システムにおける送信制御方法及び基地局を提供することを目的とする。
【課題を解決するための手段】
【００１３】
例えば、以下の手段を用いる。
（１）移動局の移動に応じて実行するハンドオーバ処理に応じて、第１の基地局における残留パケットデータを第２の基地局に転送する移動通信システムにおいて、前記第２の基地局は、前記第１の基地局から転送された前記残留パケットデータ及び別途前記第２の基地局に与えられた新規パケットデータの双方を前記転送の完了を待たずに、前記移動局に対して送信することを可能とした制御部を備え、前記第２の基地局は、前記移動局へのパケットデータの伝送において、取得したパケットデータを無線伝送路へ送出すべく無線信号への変換処理を実行する、前記移動局との無線通信のインタフェース部として機能し、前記移動局は、前記制御部による制御を受けたパケットデータを受信する受信部を含む、移動通信システムを用いることができる。
【００１４】
（２）移動局の移動に応じて実行するハンドオーバ処理に応じて、第１の基地局における残留パケットデータを第２の基地局に転送する移動通信システムにおける送信制御方法において、前記第２の基地局は、前記移動局へのパケットデータの伝送において、取得したパケットデータを無線伝送路へ送出すべく無線信号への変換処理を実行する、前記移動局との無線通信のインタフェース部として機能し、前記第２の基地局は、前記第１の基地局から転送された前記残留パケットデータ及び別途前記第２の基地局に与えられた新規パケットデータの双方を前記転送の完了を待たずに、前記移動局に対して送信し、前記移動局は、前記制御部による制御を受けたパケットデータを受信する、移動通信システムにおける送信制御方法を用いることができる。
【００１５】
（３）さらに、移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、前記ハンドオーバ元の基地局から転送された前記残留パケットデータ及び別途上位ノードから与えられた新規パケットデータの双方を前記転送の完了を待たずに、前記移動局に対して送信することを可能とした制御部を備え、ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する、基地局を用いることができる。
【００１６】
また、本発明に関連する技術のパケット転送・送信方法は、移動機宛ての複数のパケットを送信する上位ノードと、移動機宛ての複数のパケットを送信するハンドオーバ元ノードと、移動機宛ての複数のパケットを送信するハンドオーバ先ノードとをそなえた移動通信システムにおけるパケット転送・送信方法であって、上位ノードが、ハンドオーバの実施を決定する決定ステップと、ハンドオーバ元ノードが複数のパケットのうちの未送信の残留パケットをハンドオーバ先ノードに対して転送し、上位ノードがパケットをハンドオーバ先ノードに対して送信する転送・送信ステップとを含むことを特徴としている。
【００１７】
従って、このようにすれば、ハンドオーバ先ノードは、ハンドオーバ時において、移動機と複数のチャネルを用いた同一信号の送信が不要となり、ユーザ数の増加および通信品質の向上が図れ、伝送路および無線リソースの有効活用が可能となる。
この転送・送信ステップは、次のパターンＡおよびパターンＢの２パターンを用いることができる。
【００１８】
（Ａ）前記残留パケットの転送時においては、ハンドオーバ元ノード又は上位ノード自身が、上位ノードからのパケットの送信を停止する方法。この方法によれば、無線リソースの使用効率の向上が図られる。また、例えば新規パケットと転送データとを並行して送信できる。
（Ｂ）上位ノードが、無線区間におけるパケット量に基づいて、ハンドオーバ先ノードおよびハンドオーバ元ノード間に、別個の転送チャネルの割り当て又は追加チャネルの確保のうちの一方を行なうチャネル設定ステップと、ハンドオーバ先ノードが、チャネル設定ステップにて確保した別個の転送チャネル又は追加チャネルと新規チャネルとを用いたパケット送信のスケジューリングを行なうスケジューリングステップと、ハンドオーバ先ノードが、パケットおよび残留パケットをスケジューリングステップにおけるスケジューリングに基づいて移動機に送信するスケジューリング送信ステップとを含む方法。この方法によれば、再送制御によりパケット送受信の欠落を防止でき完全性が保証される。
【００１９】
そして、前記の各転送・送信ステップは、ハンドオーバ元ノードが、上位ノードからの指示又は受信フレームの識別により、残留パケットを第１カプセル化するとともに、ハンドオーバ先ノードが、残留パケットを第２カプセル化して、残留パケットを移動機に対して送信してもよく、このようにすれば、ハンドオーバ元ノードとハンドオーバ先ノードとの間のデータ疎通と、ハンドオーバ元ノードと移動機との間のデータ疎通とのそれぞれについての完全性が保証される。
【００２０】
また、前記の各転送・送信ステップは、ハンドオーバ先ノードが、ハンドオーバ元ノードにて付与されるヘッダとハンドオーバ先ノードにて付与されるヘッダとの対応表に基づいて、移動機とフレームを送受信してもよい。ここで、ハンドオーバ先ノードは、移動機に対して送信するフレームに、カプセル化したパケットと通常のパケットとを識別する識別情報を挿入することもでき、このようにすれば、データ疎通の完全性が保証され、また、高速な処理が可能になる。
【００２１】
さらに、本発明に関連する技術の移動通信システムは、ハンドオーバ元ノードが上位ノードからのパケットを受信する第１回線受信部と、第１回線受信部にて受信されたパケットを保持するバッファと、第１回線受信部にて受信されたパケットに含まれるハンドオーバ先ノードのリソース容量とバッファに保持されたパケットの残留量とに基づいて、転送するパケット量を再送制御する第１再送制御部と、第１再送制御部にて再送制御されたパケット量に基づいて、バッファに保持されたパケットを上位ノードを介さずにハンドオーバ先ノードに対し、又は上位ノードを介してハンドオーバ先ノードに対して送信する第１回線送信部とを含むことを特徴としている。
【００２２】
従って、このようにすれば、ユーザデータの損失が防止でき、通信レートの安定およびリアルタイム性の向上など各種サービスの質を改善できる。
そして、本発明に関連する技術の移動通信システムは、移動機宛ての複数のパケットを送信する上位ノードと、移動機宛ての複数のパケットを送信するハンドオーバ元ノードと、ハンドオーバ後の移動機とパケットを送受信するハンドオーバ先ノードとをそなえた、移動通信システムにおいて、ハンドオーバ先ノードは、上位ノードおよびハンドオーバ元ノードからの複数のパケットを受信する第２回線受信部と、第２回線受信部が受信するパケットについて再送制御する第２再送制御部と、第２回線受信部が受信した複数のパケットに第２再送制御部にて再送制御された再送制御ヘッダを付与し、ヘッダ付きの無線フレームを移動機に対して送信する第２送信部とを含むことを特徴としている。
【００２３】
従って、このようにすれば、無線送信するフレームフォーマットを上位ノードからの指示を用いて変更でき、ハンドオーバ先ノードのバッファ容量を一定にできる。
さらに、本発明に関連する技術の移動通信システムは、上位装置から移動機へのデータの送信経路をハンドオーバ元ノードからの送信から、ハンドオーバ先ノードからの送信へ切り替える機能をそなえた移動通信システムにおいて、ハンドオーバ元ノードは、その切り替えの際に、ハンドオーバ元ノードに残留する移動機へのデータをハンドオーバ先ノードに転送する転送手段をそなえ、ハンドオーバ先ノードは、その転送により受信したデータおよび上位装置からの前記データを前記移動機に送信する送信手段とをそなえて構成されたことを特徴としている。
【００２４】
従って、このようにすれば、通信のリアルタイム性が向上し、サービスの質が向上する。再送回数を減少できる。
この移動通信システムは、前記転送手段による転送中については、前記上位装置から前記ハンドオーバ先ノードへのデータの送信を中止することもでき、このようにすれば、無線リソースの最適化に寄与でき、システムにおけるコストパフォーマンスが改善する。
【００２５】
また、本発明に関連する技術の基地局は、ハンドオーバ元の基地局から転送された、移動局へ送信すべき第１データと、該ハンドオーバ元の基地局以外から該移動局へ送信すべき第２データとを受信する受信部と、該第１データ、該第２データのうち、一方の送信完了を待たずに他方の送信を行なう送信部とをそなえたことを特徴としている。
ここで、前記第１データ、前記第２データのいずれか一方は他方に対してより高い優先度が設定されており、前記送信は、優先度が高い方を優先して送信するようにしてもよい。
【００２６】
さらに、本発明に関連する技術の移動通信システムは、移動局の移動に応じて実行するハンドオーバ処理に応じて、第１の基地局における残留パケットデータを第２の基地局に転送する移動通信システムにおいて、前記第２の基地局は、前記第１の基地局から転送された前記残留パケットデータ及び別途前記第２の基地局に与えられた新規パケットデータの双方を前記転送の完了を待たずに、前記移動局に対して送信することを可能とした制御部を備え、前記第２の基地局は、前記移動局へのパケットデータの伝送において、取得したパケットデータを無線伝送路へ送出すべく無線信号への変換処理を実行する、前記移動局との無線通信のインタフェース部として機能し、前記移動局は、前記制御部による制御を受けたパケットデータを受信する受信部を含む。
【００２７】
そして、本発明に関連する技術の移動通信システムにおける送信制御方法は、移動局の移動に応じて実行するハンドオーバ処理に応じて、第１の基地局における残留パケットデータを第２の基地局に転送する移動通信システムにおける送信制御方法において、前記第２の基地局は、前記移動局へのパケットデータの伝送において、取得したパケットデータを無線伝送路へ送出すべく無線信号への変換処理を実行する、前記移動局との無線通信のインタフェース部として機能し、前記第２の基地局は、前記第１の基地局から転送された前記残留パケットデータ及び別途前記第２の基地局に与えられた新規パケットデータの双方を前記転送の完了を待たずに、前記移動局に対して送信し、前記移動局は、前記制御部による制御を受けたパケットデータを受信する。
【００２８】
また、本発明に関連する技術の基地局は、移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、前記第１の基地局から転送された前記残留パケットデータ及び別途上位ノードから与えられた新規パケットデータの双方を前記転送の完了を待たずに、前記移動局に対して送信することを可能とした制御部を備え、ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する。
【００２９】
さらに、本発明に関連する技術の移動通信システムは、移動局の移動に応じて実行するハンドオーバ処理に応じて、第１の基地局における残留パケットデータを第２の基地局に転送する移動通信システムにおいて、前記第２の基地局に転送された前記残留パケットデータについて前記移動局との間で実行する無線区間の再送制御を、該第２の基地局の管理のもと実行する再送制御部を備え、前記移動局は、該再送制御部により制御されたパケットデータを受信する受信部を備える。
【００３０】
ここで、転送される前記残留パケットデータには、前記第１の基地局による再送制御用のヘッダは付加されず、前記第２の基地局において再送制御用のヘッダが付加されて前記移動局に送信されるようにしてもよい。
また、本発明に関連する技術の移動通信システムにおける再送制御方法は、移動局の移動に応じて実行するハンドオーバ処理に応じて、第１の基地局における残留パケットデータを第２の基地局に転送する移動通信システムにおける再送制御方法において、前記第２の基地局に転送された前記残留パケットデータについて前記移動局との間で実行する無線区間の再送制御を、該第２の基地局の管理のもと実行し、前記移動局は、該第２の基地局により管理される再送制御を受けるパケットデータを受信する。
【００３１】
ここで、転送される前記残留パケットデータには、前記第１の基地局による再送制御用のヘッダは付加されず、前記第２の基地局において再送制御用のヘッダが付加されて前記移動局に送信されるようにしてもよい。
そして、本発明に関連する技術の基地局は、移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、転送された前記残留パケットデータについて前記移動局との間で実行する無線区間の再送制御を、自局の管理のもと実行する再送制御部を備える。
【００３２】
ここで、転送される前記残留パケットデータには、前記第１の基地局による再送制御用のヘッダは付加されず、前記第２の基地局において再送制御用のヘッダが付加されて前記移動局に送信されるようにしてもよい。
【発明を実施するための最良の形態】
【００３３】
（Ａ）本発明の第１実施形態の説明
以下、図面を参照して本発明の実施の形態を説明する。
図１は本発明を適用されるＷ−ＣＤＭＡシステムの要部の構成図である。この図１に示すＷ−ＣＤＭＡシステム５０は、本発明のパケット転送・送信方法を実施し、ネットワークと移動機との間において音声，静止画および動画などの大容量データを送受信する移動通信システムであって、コアネットワーク（ＣＮ）１００と、無線ネットワーク制御装置（ＲＮＣ）２−０，２−１と、基地局（ＢＴＳ）３−０〜３−５と、移動機（ＵＥ）４とをそなえて構成されている。このＷ−ＣＤＭＡシステム５０は、多数のノードを有するが、それらについての図示を省略している。
【００３４】
（１−１）コアネットワーク１００および交換機１
コアネットワーク１００は、図示を省略する回線交換機，パケット交換機および多数の上位ノードとが相互に接続され、高速かつ大容量のパケットを伝送するネットワークであり、パケット交換機能を有する交換機１を有する。
なお、上位ノードとは、送受信データがＨＳ−ＤＳＣＨデータ又はＤＳＣＨデータの場合は、それぞれ、ＲＮＣ２−０，２−１又は交換機１に相当し、下位ノードとは基地局３−０〜３−５又はＲＮＣ２−０，２−１に相当する（後述する図４０参照）。
【００３５】
図２は本発明の第１実施形態に係る交換機１の概略的なブロック図である。この図２に示す交換機１は、コアネットワーク１００以外の他のネットワークから移動機４への複数の新規パケットを送信するものであって、回線終端部１ｂ，制御部１ａ，交換部１ｃをそなえて構成されている。
ここで、回線終端部１ｂは、他の上位ノード（例えば交換機１自身又はＲＮＣ２−０，２−１以外の上位ノード）又は下位ノード（例えば基地局３−０〜３−５又はＲＮＣ２−０，２−１）とデータ又はパケットを送受信して終端し、また、下位ノードからのフロー制御によってデータの流れを制御するものである。
【００３６】
そして、交換部１ｃは、上位ノード又は下位ノードとの間において回線を交換するものである。
さらに、制御部１ａは、上位ノード又は下位ノードからの制御信号に基づいて交換部１ｃを制御するものである。
これにより、交換機１は、コアネットワーク１００以外の他のネットワークおよび移動機４から受信したヘッダ付きパケットを、その宛先に基づいて、ＲＮＣ２−０，２−１又はコアネットワーク１００に対して転送する。
【００３７】
（１−２）ＲＮＣ２−０，２−１
ＲＮＣ２−０，２−１は、それぞれ、３ＧＰＰなどにて規定されている無線プロトコルを終端する機能と、パケット転送，基地局３−０〜３−５の制御，チャネル割り当て，ハンドオーバおよび発着信接続などの各機能とを有する。また、各ＲＮＣ２−０，２−１は、基地局３−０〜３−５からの送信停止（送信停止メッセージ）、開始要求（開始要求メッセージ）によりＤＳＣＨデータおよびＨＳ−ＤＳＣＨデータの送信を制御する機能をも有する。
【００３８】
なお、以下の説明において、ハンドオーバとは、特に断らない限り、移動機４が、ハンドオーバ前に通信している例えば基地局３−１からハンドオーバ後に通信する例えば基地局３−２に対して、トランスポートチャネル（Ｔｒａｎｓｐｏｒｔ Ｃｈａｎｎｅｌ：ＴｒＣＨ）を切り替えることを意味する。
（１−３）基地局３−０〜３−５
（１−３−１）ハンドオーバ元ノードおよびハンドオーバ先ノードについて
基地局３−０〜３−５は、いずれも、３ＧＰＰなどにて規定される無線プロトコルを終端しうるものであり、セル１１０−０〜１１０−５内にいる移動機４の無線リンク用の論理ノード（Ｎｏｄｅ Ｂ）として機能する。基地局３−０〜３−５は、いずれも、バッファリングされたＤＳＣＨデータ又はＨＳ−ＤＳＣＨデータを、交換機１の制御によりハンドオーバ元ノードからハンドオーバ先ノードへのデータ転送機能を有する。
【００３９】
以下の説明の便宜上、特に断らない限り、基地局３−１，３−２は、それぞれ、移動機４のハンドオーバ元ノード，ハンドオーバ先ノードとして機能する。ここで、ハンドオーバ元ノードとは、ハンドオーバ前の移動機４とパケットを送受信するものであり、ハンドオーバ先ノードとは、交換機１から移動機４への複数の新規パケットをハンドオーバ前の移動機４に送信するものである。なお、基地局３−３〜３−５が、それぞれ、ハンドオーバ元ノード又はハンドオーバ先ノードとして機能することもできる。
【００４０】
ハンドオーバ元ノードとしての基地局３−１は、交換機１から移動機４に送信すべきデータをバッファリングしているときにおいて、交換機１からの新規パケット送信を休止するために、その送信すべきデータが空になるまで交換機１に対して送信停止要求を送信する。また、基地局３−１の送信すべきデータが空になると、バッファ空きを通知するための送信開始要求を交換機１に対して送信する。
【００４１】
さらに、基地局３−１は、交換機１から移動機４に送信すべきデータをバッファリングされているときにおいて、バッファリングされているデータをハンドオーバ先ノードとしての基地局３−２に転送する。一方、基地局３−２は、その転送されたデータと新規に交換機１側から送信されるデータとを受信して、それらの受信データを調停しながら、移動機４に送信する調停機能を有する。
【００４２】
（１−３−２）基地局３−０〜３−５の構成
基地局３−０〜３−５は、いずれも、ＲＮＣ２−０，２−１から送信されたパケットについて無線送信機能（変調，符号拡散および無線フレーム送信など）と、無線受信機能（無線フレーム受信，逆拡散および復調など）と、複数の無線リソースに関する使用状況の常時監視機能とを有する。
【００４３】
図３は本発明の第１実施形態に係る基地局３−１のブロック図である。この図３に示す基地局３−１は、受信部（第１受信部）２ａ，回線終端部（第１回線終端部）２ｂ，呼制御部（第１呼制御部）２ｃ，ＡＲＱ制御部（第１再送制御部）２ｄ，ＡＲＱ終端部（第１ＡＲＱ終端部）２ｅおよび送信部（第１送信部）２ｆをそなえて構成されている。
ここで、受信部２ａは、移動機４からの無線フレームを受信し復調およびデコード処理するものである。送信部２ｆは、送信データをエンコードし、変調処理し移動機４に送信するものである。また、送信部２ｆは、後述するパターンＢにて説明する優先度を送信データに付与できるようになっている。
【００４４】
そして、回線終端部２ｂは、交換機１側又は基地局３−２との間におけるデータを終端するものであり、ＡＲＱ終端部２ｅに設けられたデータ保持用のバッファ２ｇから転送されたデータを交換機１側又は基地局３−２に対して送信又は転送するようになっており、第１回線受信部２２ａと、第１回線送信部２２ｂとをそなえて構成されている。
ここで、第１回線受信部２２ａは、交換機１側又は基地局３−２からのパケットを受信するものである。そして、バッファ２ｇがこの第１回線受信部２２ａにて受信されたパケットを保持する。
【００４５】
第１回線送信部２２ｂは、以下に述べるＡＲＱ制御部２ｄにて再送制御されたパケット量に基づいて、バッファ２ｇに保持されたパケットを、交換機１又はＲＮＣ２−０，２−１を介さずにハンドオーバ先ノードの基地局３−２に対して、又は上位ノード（基地局３−２又は交換機１）を介して基地局３−２に対して送信する。これにより、交換機１側又は移動機４側に対するデータの送受信が終端される。
【００４６】
さらに、呼制御部２ｃは、移動機４から受信した呼制御信号に基づいてハンドオーバ制御をするものである。
そして、ＡＲＱ制御部２ｄは、第１回線受信部２２ａ（回線終端部２ｂ）にて受信されたパケットに含まれる基地局３−２のリソース容量とバッファ２ｇに保持されたパケットの残留量とに基づいて転送するパケット量を再送制御するものである。また、ＡＲＱ制御部２ｄは、呼制御部２ｃからの制御によりＨ−ＡＲＱ（Ｈｙｂｒｉｄ−Ａｕｔｏ Ｒｅｐｅａｔ Ｒｅｑｕｅｓｔ）プロトコルの開始、変更および終了動作をするものである。このＨ−ＡＲＱは、ＨＳ−ＤＳＣＨに規定されるＡＲＱプロトコルの名称である。
【００４７】
よく知られているように、ＡＲＱとは、無線区間などにおけるエラーにより失われたデータを再送制御により再送信し、これにより、データの完全性を保証するための方法であり、また、Ｈ−ＡＲＱは高速に動作するＡＲＱを表す。このＡＲＱ制御部２ｄがＡＲＱ終端部２ｅに出力する指示によりバッファ２ｇに保持された送信待ちのデータが、回線終端部２ｂに転送可能になっている。これにより、フロー制御を用いてデータの流れの制御が可能となる。
【００４８】
そして、ＡＲＱ終端部２ｅは、ＡＲＱプロトコルを終端するものであり、交換機１又はＲＮＣ２−０，２−１から受信された新規データと、ハンドオーバ元ノード（基地局３−２）からの転送データとを受信し、その受信したデータを調停しカプセル化するものでもある。
また、回線終端部２ｂ，呼制御部２ｃ，ＡＲＱ制御部２ｄ，ＡＲＱ終端部２ｅが協働することにより、転送手段（２ｂ，２ｃ，２ｄ，２ｅ）として機能している。
【００４９】
このように、Ｈ−ＡＲＱにより情報用データと誤り訂正用データとを独立して送信できかつ再送回数を減少できる。なお、ＡＲＱ制御部２ｄは、通常のＡＲＱを用いることも可能である。
また、図４は本発明の第１実施形態に係る基地局３−２のブロック図であり、この図４に示す基地局３−２は、基地局３−１に設けられた受信部２ａ，回線終端部２ｂ，呼制御部２ｃ，ＡＲＱ制御部２ｄ，ＡＲＱ終端部２ｅ，送信部２ｆのそれぞれと同一の機能を有する受信部（第２受信部）３ａ，回線終端部（第２回線終端部）３ｂ，呼制御部（第２呼制御部）３ｃ，ＡＲＱ制御部（第２再送制御部）３ｄ，ＡＲＱ終端部（第２ＡＲＱ終端部）３ｅ，送信部（第２送信部）３ｆをそなえて構成されている。
【００５０】
ここで、回線終端部３ｂは、上位側の交換機１および下位側の基地局３−１間隔におけるデータを終端するものであって、第２回線受信部３３ａと第２回線送信部３３ｂとをそなえて構成されている。この第２回線受信部３３ｂは、上位側の交換機１および下位側の基地局３−１からの複数パケットを受信するものである。また、第２回線送信部３３ｂは、第２回線受信部３３ｂが受信した複数のパケットに以下に述べるＡＲＱ制御部３ｄにて再送制御するものである。そして、ＡＲＱ制御部３ｄは、第２回線受信部３３ｂが受信した複数のパケットについて再送制御するものである。
【００５１】
さらに、送信部３ｆは、第２回線受信部３３ａが受信した複数のパケットに、ＡＲＱ制御部３ｄにて再送制御された再送制御ヘッダを付与し、そのヘッダ付きの無線フレームを移動機４に対して送信するものである。なお、送信部３ｆのヘッダ付与については後述するパターンＢ，Ｃにおいて説明する。
そして、呼制御部３ｃ，ＡＲＱ制御部３ｄ，ＡＲＱ終端部３ｅ，送信部３ｆが協働することにより、送信手段（３ｃ，３ｄ，３ｅ，３ｆ）として機能している。
【００５２】
これら以外のものに関する機能の説明は重複するので省略する。また、基地局３−０，３−３〜３−５の構成も、基地局３−１の構成と同一であるので、重複した説明を省略する。
このように、Ｗ−ＣＤＭＡシステム５０は、上位ノード（上位装置）から移動機４へのデータの送信経路をハンドオーバ元ノード２からの送信から、ハンドオーバ先ノード３からの送信へ切り替える機能を有する。そして、ハンドオーバ元ノード２は、その切り替えの際に、ハンドオーバ元ノード２に残留する移動機４へのデータをハンドオーバ先ノード３に転送する転送手段（２ｂ，２ｃ，２ｄ，２ｅ）をそなえ、ハンドオーバ先ノード３は、その転送により受信したデータおよび上位ノードからのデータを移動機４に送信する送信手段（３ｃ，３ｄ，３ｅ，３ｆ）とをそなえて構成されている。
【００５３】
（１−４）移動機（ＵＥ）４
移動機４は、無線を用いて基地局３−０〜３−５と通信する機能と、通信，管理および制御に関するデータを送受信する機能と、Ｈ−ＡＲＱ動作をする機能とを有し、ユーザが操作する携帯電話機又は携帯無線端末である。
図５は本発明の第１実施形態に係る移動機４のブロック図である。この図５に示す移動機４は、アンテナ４ｆ，受信部４ａ，ＡＲＱ終端部４ｂ，呼制御部４ｃ，ＡＲＱ制御部４ｄ，送信部４ｅをそなえて構成されている。
【００５４】
アンテナ４ｆは、無線フレームを送受信するものである。受信部４ａは、基地局３−０〜３−５からの無線フレームを受信し復調およびデコード処理するものである。ＡＲＱ終端部４ｂは、ＡＲＱプロトコルを終端するものである。呼制御部４ｃは、基地局３−０〜３−５から受信した呼制御信号に基づいてハンドオーバ処理するものである。ＡＲＱ制御部４ｄは、呼制御部４ｃからの制御によりＡＲＱプロトコルの開始、変調および終了動作をするものである。送信部４ｅは、呼制御信号、ユーザデータおよびＡＲＱのＡＣＫ／ＮＡＣＫをエンコードおよび変調処理し基地局３−０〜３−５に送信するものである。
【００５５】
（１−５）セル１１０−０〜１１０−５（図１参照）
セル１１０−０〜１１０−５は、それぞれ、移動機４および基地局３−０〜３−５間において、高品質の無線フレーム送受信が可能な概略的な範囲を表し、また、各セル１１０−０〜１１０−５の範囲は、隣接するセル１１０−０〜１１０−５の範囲と概ね重なり合う。移動機４が、この重複した範囲に移動すると、隣接する基地局３−０〜３−５と同一データを送受信し、これにより、ソフトハンドオーバが行なわれる。
【００５６】
（１−６）伝送路
各ノード１０１，１０２−０〜１０２−ｎ，１０３−０〜１０３−ｎ，１０４は、いずれも、ＡＴＭ伝送路を介して物理的に接続されており、各ノード間のインターフェースは仕様に規定されている。具体的には、ＲＮＣ１０２−０〜１０２−ｎと交換機１０１との間のインターフェースはＡＴＭ伝送路であってＩｕと称され、ＲＮＣ１０２−０〜１０２−ｎ相互間のインターフェースはＩｕｒと称される。ＲＮＣ１０２−０〜１０２−ｎと基地局１０３−０〜１０３−ｎとの間のインターフェースはＡＴＭ伝送路であってＩｕｂと、そして、基地局１０３−０〜１０３−ｎと移動機１０５との間のインターフェースはＵｕとそれぞれ称される。
【００５７】
（１−７）新規パケットおよび転送パケット
交換機１および移動機４は、ともに、大容量の音声データ，テキストデータおよび画像データなどを多数の細かいデータにし、その細分化（フラグメント）されたデータをパケット化せずに又はパケット化を用いて多数のパケットを送信する。
従って、ダウンリンクについては、交換機１は、同一の移動機４に対して一定時間毎に間断なく音声データ，テキストデータなどをフラグメントして送信し、異なる移動機（図示省略）に対して別種類のテキストデータなどにして送信する。アップリンクについても同様である。
【００５８】
具体的には、コアネットワーク１００のユーザ電話機（図示省略）において、音声などが所定時間毎に符号化され、符号化された音声データは、例えば１０００個のデータにフラグメントされ、その１０００個のデータのそれぞれが、１から順番にカウントアップされた通し番号をもつヘッダを付与され１２００個のパケットが作成される。
これにより、例えばＲＮＣ２−０，２−１に設けられたＡＲＱ制御部２ｄ，３ｄは、それぞれ、通し番号付きのパケットについて、正常に受信できたパケットの通し番号と、正常に受信できなかったパケットの通し番号とを記録する。そして、ＡＲＱ制御部２ｄ，３ｄは、いずれも、未受信のパケットについて、コアネットワーク１００のユーザ電話機に対して再送を要求し、そして、再送された２パケットを受信すると、全パケットを受信したと認識する。次に、ＡＲＱ部は、１２００個のパケットに含まれるデータを抽出してユーザ情報の１単位としての一定時間内の音声又はテキストファイルなどを組み立てた後、上位レイヤに渡すようになっている。なお、この組み立てはレイヤ２のＡＲＱ部が行なう代わりに、レイヤ３以上の上位レイヤが行なってもよい。
【００５９】
以下の説明において，音声データ，テキストデータなどを送受信単位として新規パケットと称する。すなわち、各新規パケットは、多数のパケットからなるユーザ情報の１単位を表す。また、各パケットは、ＲＮＣ２−０，２−１にて以下に詳述するように一旦バッファリングされた後に移動機４に対して送信される。各パケットに付与された通し番号を用いて、各パケットは、パケットを送受信又は中継する各ノードに設けられたＡＲＱ（Ａｕｔｏ Ｒｅｐｅａｔ Ｒｅｑｕｅｓｔ：自動再送制御）部にて受信済み／未受信が管理される。ここで、処理速度がこのＡＲＱを用いたときのものよりも迅速な処理速度を有するＨ−ＡＲＱを用いることが好ましい。
【００６０】
なお、図１に示す構成は、後述する第２実施形態においても同一である。
（２）以下、図６を用いて、本発明のパケット転送・送信方法について説明する。
図６は本発明の第１実施形態に係るパケット転送・送信方法を説明するための図であり、図１に示す構成が単純化されたモデルが示されている。この図６に示す上位ノードは、ＨＳ−ＤＳＣＨチャネルにおいては、交換機１に相当する。そして、上位ノード１において、ユーザデータの送信とハンドオーバ制御とが行なわれ、ハンドオーバ元ノード２（基地局３−１）およびハンドオーバ先ノード３（基地局３−２）において、上位ノード１との間でアップリンクパケットおよびダウンリンクパケットが送受信され、また、移動機４との間でＡＲＱ通信プロトコルを用いて無線フレームが送受信される。このＡＲＱを使用することにより、ハンドオーバ元ノード２およびハンドオーバ先ノード３と移動機４との間において完全なデータ疎通が保証される。
【００６１】
そして、ハンドオーバ先ノード３において、伝送路区間と無線区間との間におけるデータフォーマットが変換される。ここで、ハンドオーバ元ノード２およびハンドオーバ先ノード３におけるＡＲＱプロトコルは、ＲＬＣ（Ｒａｄｉｏ Ｌｉｎｋ Ｃｏｎｔｒｏｌ）プロトコルに相当する。また、移動機４は、ハンドオーバ元ノード２，ハンドオーバ先ノード３と無線フレームとを送受信するとともに、ハンドオーバを行なうものである。
【００６２】
以下、特に断らない限り、移動機４は、ハンドオーバ元ノード２とパケット送受信をしている状態において、歩行，車両又は電車などにより、ハンドオーバをし、ハンドオーバ先ノード３とパケット送受信をする。
（２−１）本発明のパケット転送・送信方法
本発明のパケット転送・送信方法は、移動機４宛ての複数のパケットを送信する上位ノード１と、移動機４宛ての複数のパケットを送信するハンドオーバ元ノード２と、移動機４宛ての複数のパケットを送信するハンドオーバ先ノード３とをそなえたＷ−ＣＤＭＡシステム５０におけるものであり、上位ノード１が、ハンドオーバの実施を決定する（決定ステップ）。そして、ハンドオーバ元ノード２が、複数のパケットのうちの未送信の残留パケットをハンドオーバ先ノード３に対して転送し、上位ノード１が新規パケットをハンドオーバ先ノード３に対して送信する（転送・送信ステップ）。また、ハンドオーバの実施を決定（決定ステップ）は、移動機４から送信されるハンドオーバ要求を受信した場合又は移動機４からの無線状況報告に基づくことが好ましい。
【００６３】
（２−２）実施パターンＡ〜Ｄ
本発明のパケット転送・送信方法の実施パターンは、以下に説明するように４種類のパターンＡ〜Ｄを有し、さらに、これらのパターンＡ〜Ｄは、ハンドオーバ元ノード２がハンドオーバ先ノード３に対してパケットを転送・送信する態様として、パターンＡ，Ｃと、パターンＢ，Ｄとに分類できる。
【００６４】
（２−３）実施パターンＡ〜Ｄと本パケット転送・送信方法との関係
第１のパケット転送・送信方法（パターンＡ，Ｃ）は、上位ノード１からハンドオーバ先ノード３への新規パケット送信を停止する方法である。すなわち、ハンドオーバ元ノード２（又は上位ノード１自身）が、上位ノード１からの新規パケットの送信を停止し（停止ステップ）、新規パケットの送信が停止している間に、ハンドオーバ元ノード２が、残留パケットを、ハンドオーバ先ノード３に対して転送する（第１残留パケット転送ステップ）。そして、第１残留パケット転送ステップにて残留パケットが転送されると、ハンドオーバ元ノード２（又は上位ノード１自身１）が、上位ノード１からの新規パケットの送信を再開し（再開ステップ）、上位ノード１が、新規パケットを、ハンドオーバ先ノード３に対して送信するのである（新規パケット送信ステップ）。
【００６５】
第２のパケット転送・送信方法（パターンＢ，Ｄ）は、上位ノード１からハンドオーバ先ノード３への新規パケット送信を続行し、ハンドオーバ先ノード３が、ハンドオーバ元ノード２から転送されたパケットと上位ノード１から送信された新規パケットとを調停する方法である。すなわち、ハンドオーバ元ノード２が、残留パケットを、ハンドオーバ先ノード３に対して転送し（第２残留パケット転送ステップ）、上位ノード１が、新規パケットを、ハンドオーバ先ノード３に対して送信する（新規パケット送信ステップ）。そして、ハンドオーバ先ノード３が、第２残留パケット転送ステップにて転送されたパケットと、新規パケット送信ステップにて送信されたパケットとを調停する（調停ステップ）。
【００６６】
さらに、パターンＣ，Ｄは、パターンＡ，Ｂについて、それぞれ、転送データをカプセル化する方法である。従って、パターンＡ〜Ｄは、２パターン×２パターンに大きく分類できる。換言すれば、パターンＡ，Ｂは、ハンドオーバ時にハンドオーバ元ノード２に送信されないまま残留しているデータをハンドオーバ先ノード３に転送する間、上位ノード１からの新規パケット送信を停止させる場合／停止させない場合に相当する。さらに、パターンＣ，Ｄは、データを転送する場合に、転送データを新規パケット通信の一部とみなしてカプセル化する場合／カプセル化しない場合に相当する。
【００６７】
なお、パターンＡ〜Ｄは、残留パケットの転送方法に応じて追加された２パターンを有する。この追加された２パターンは、具体的には、上位ノード１とハンドオーバ元ノード２，ハンドオーバ先ノード３との間において直接転送用の回線を設定して行なう場合と、上位ノード１を経由して行なう場合とに相当し、また、以下の説明において、上記４パターンの拡張パターンとして説明する。
【００６８】
（２−４）ＤＳＣＨおよびＨＳ−ＤＳＣＨの説明
図４０はＤＳＣＨを説明するための図である。この図４０に示すＤＳＣＨは、複数の移動機４（例えばユーザ１〜ユーザ３）が共用するダウンリンクチャネルであって、これにより、無線リソースの使用効率が図られるようになっている。また、ＨＳ−ＤＳＣＨ（図示省略）とは、高速データ伝送可能なＤＳＣＨを意味する。なお、ＤＳＣＨとＨＳ−ＤＳＣＨとの仕様は、それぞれ、記述ＴＳ２５．４３５／４２７／４２５と、記述ＴＲ２５．８３５／８３７／８４８／８５５／８７７／９５０とに規定されている。
【００６９】
これらのＤＳＣＨデータ，ＨＳ−ＤＳＣＨデータは、いずれも、終端される装置が異なる。Ｗ−ＣＤＭＡシステム５０において、ＤＳＣＨデータはＲＮＣ２−０，２−１によって終端され、上位ノード，下位ノードは、それぞれ、交換機，ＲＮＣに相当する。また、ＤＳＣＨを用いたシステムにおいては、ＲＮＣ２−０，２−１にＲＬＣ（Ｒａｄｉｏ Ｌｉｎｋ Ｃｏｎｔｒｏｌ）プロトコル処理などのすべての機能が集中している。基地局３−０〜３−５の主機能は、伝送路区間と無線区間との変換である（なお、簡略化のために図示を省略している。）。
【００７０】
一方、ＨＳ−ＤＳＣＨデータは、基地局３−０〜３−５において終端され、上位ノードおよび下位ノードは、それぞれ、ＲＮＣ２−０，２−１および基地局３−０〜３−５に相当する。ＨＳ−ＤＳＣＨシステムにおいては、移動機４に近い基地局３−０〜３−５にＡＲＱ機能が設けられている。このＡＲＱ機能は、Ｈ−ＡＲＱプロトコルが用いられている。このＨ−ＡＲＱとは、無線区間などにおけるエラーにより失われたデータを再送制御により再送信することにより、データの完全性を保証するための方法である。
【００７１】
以下、ＨＳ−ＤＳＣＨを用いた場合について説明し、上位ノード，下位ノードは、それぞれ、ＲＮＣ２−０，２−１，基地局３−０〜３−５であるものとして説明する。なお、ＤＳＣＨを用いた場合においても、本発明を実施できる。
（２−５）パターンＡ〜Ｄの概略的な説明
次に、図６に示すモデルを用いて、各ノードとの間における制御信号とユーザデータのシーケンスとについて説明する。
【００７２】
各パターンは次のＡ〜Ｄに示す順で説明する。
Ａ．残留パケットの転送中は新規パケットの送信を一旦停止するとともに、転送データはカプセル化しない
Ｂ．残留パケットの転送中においても新規パケットを送信するとともに、転送データはカプセル化しない
Ｃ．残留パケットの転送中は新規パケットの送信を一旦停止するとともに、転送データはカプセル化する
Ｄ．残留パケットの転送中においても新規パケットを送信するとともに、転送データはカプセル化する
以下、各パターンについて説明する。
【００７３】
（３）パターンＡの説明
図７（ａ）〜図７（ｅ）はそれぞれ本発明の第１実施形態に係るパターンＡの動作を説明するための図である。
図７（ａ）に示す移動機４が移動を開始すると、ハンドオーバ元ノード２が、品質劣化を検出する。そして、図７（ｂ）に示すハンドオーバ元ノード２は、上位ノード１に対して、残留パケット転送のために、上位ノード１による新規パケット送信を停止（サスペンド）させる。次に、ハンドオーバ元ノード２は、上位ノード１によって指定されたハンドオーバ先ノード３（図７（ｃ）参照）に対して、残留パケットを転送する。そして、残留パケット転送が完了すると、図７（ｄ）に示すハンドオーバ元ノード２は、上位ノード１に対して新規パケット送信を再開（リジューム）させるために、リジューム要求を送信する。この後、図７（ｅ）に示す上位ノード１は、ハンドオーバ先ノード３に対して新規パケットを送信するのである。
【００７４】
また、同一のパターンＡの動作について、図８に示すシーケンス例を用いて説明する。なお、この図８に示すＨＯ，ＨＯ元下位Ｎｏｄｅ，ＨＯ先下位Ｎｏｄｅおよび上位Ｎｏｄｅは、それぞれ、ハンドオーバ，ハンドオーバ元ノード，ハンドオーバ先ノードおよび上位ノードを表し、以下の説明にて参照する図についても同様である。（３−１）〜（３−９）はそれぞれ図８の符号１〜９に対応する。
【００７５】
（３−１）図８に示す上位ノード１は、移動機４から受信した信号品質を監視し、その低下を検出してハンドオーバ実施を開始する。このハンドオーバ開始の起因は、移動機４によるハンドオーバ要求のみならず、移動機４が上位ノード１に対して送信する移動機４自身の無線状況報告に基づく上位ノード１における判断である。
この場合、移動機４は、移動機４自身の位置の周辺における無線状況を常時測定し、この無線状況を上位ノード１に対して報告し、上位ノード１からハンドオーバに関する指示がその移動機４に対して送信されるようになっている。上位ノード１は、無線状況報告例として、実際の測定値又はどの無線エリアの品質が改善されたか、また、どの無線エリアの品質が劣化しているかなどについての情報を常時受信している。そして、上位ノード１は、移動機４から送信される情報と、予め保持している無線強度情報とを比較することにより、電界強度が、無線通信可能であるか否かを決定する。そして、上位ノード１は、移動機４の周辺の無線エリアのうちの適切なエリアを選択し、その選択したエリアをハンドオーバ元ノード２に対して通知する。これにより、ハンドオーバ元ノード２は、ハンドオーバ先ノード３を知ることができる。
【００７６】
（３−２）上位ノード１は、ハンドオーバ先ノード３に対して、ハンドオーバする移動機４と通信するためのリソース確保を要求するために、ハンドオーバ準備要求を送信する（なお、他の図においても同様である。）。ハンドオーバ先ノード３は、この要求に基づいてリソースを確保する。また、上位ノード１とハンドオーバ先ノード３との間におけるチャネルが未だ設定されていない場合（最初のメッセージ送受信の場合）は、ハンドオーバ先ノード３は、上位ノード１との間における共有チャネル（共有ＴｒＣＨ：共有トランスポートチャネル）を新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【００７７】
（３−３）上位ノード１は、ハンドオーバ元ノード２に対して、ハンドオーバの実施を許可する。ハンドオーバ元ノード２は、その許可（ハンドオーバ実施許可）を受信すると、上位ノード１に対して、サスペンド（停止）要求を送信し、新規パケットの送信を停止させる。
なお、ハンドオーバ元ノード２がサスペンド要求を送信する代わりに、上位ノード１自身がハンドオーバ実施許可時を基準に新規パケットの送信を停止してもよい。
【００７８】
（３−４）上位ノード１は、移動機４に対して、ハンドオーバ指示（ハンドオーバ実施要求）を送信する。移動機４は、その指示に従って、ハンドオーバ実施を開始して、ＡＲＱ制御部４ｄ（図５参照）の保持内容をリセットする。また、移動機４は、ハンドオーバ先ノード３に移行し通信チャネルを確保する。
（３−５）上位ノード１は、ハンドオーバ元ノード２に残留しているデータをハンドオーバ先ノード３に転送するためのベアラチャネルを設定する。このベアラチャネルは、ハンドオーバ元ノード２とハンドオーバ先ノード３との間を直接接続してもよく、又は上位ノード１を介して設定してもよい。
【００７９】
（３−６）上位ノード１は、ハンドオーバ元ノード２に対して、残留パケットの転送を要求する（保持データ転送指示と表示されたもの。）。ハンドオーバ元ノード２は、この要求に従って、（３−５）にて設定したベアラチャネルを用いてハンドオーバ先ノード３に対して残留パケット（ユーザデータ）を転送する。ハンドオーバ先ノード３は、ハンドオーバ元ノード２からの残留パケットについてＡＲＱ制御部４ｄにより監視した状態において、残留パケットを移動機４に対して転送する。
【００８０】
（３−７）残留パケットの転送が完了すると、ハンドオーバ元ノード２は、共有チャネルを解除してハンドオーバした移動機４が確保していたリソースを開放するとともに上位ノード１に対して、リジューム要求を送信する。なお、図８に示すシーケンスにおいては、ハンドオーバ元ノード２がリジューム要求を出力しているが、上位ノード１自身が転送完了を監視し、また、完了検出により再開してもよい。
【００８１】
（３−８，３−９）上位ノード１は、リジューム要求を受信すると、残留パケット転送用に設定したベアラチャネルを開放するとともにハンドオーバ先ノード３に対して、新規パケットの送信を再開する。
このように、Ｗ−ＣＤＭＡシステム５０は、転送手段（２ｂ，２ｃ，２ｄ，２ｅ）による転送中については、上位ノードからハンドオーバ先ノード３へのデータの送信を中止する。
【００８２】
そして、このように、残留パケットの転送中は新規パケットの送信を一旦停止させることにより、広帯域幅を確保しつつ収容可能なユーザ数を維持し、ソフトハンドオーバ時において効率よく回線をシェアできる。
（４）パターンＢの説明
図９（ａ）〜図９（ｃ）はそれぞれパターンＢを説明するための図である。この図９（ａ）に示す移動機４が、移動を開始すると、ハンドオーバ元ノード２が品質劣化を検出する。次に、図９（ｂ）に示すハンドオーバ元ノード２は、残留パケットを上位ノード１経由でハンドオーバ先ノード３に対して転送する。ここで、上位ノード１は、新規パケットの送信を続行し、ハンドオーバ先ノード３は、転送パケットと新規パケットとを受信する。また、残留パケットの転送が終了した後は、図９（ｃ）に示す上位ノード１からハンドオーバ先ノード３への新規パケットの送信が続行するのである。
【００８３】
パターンＢのパケット転送・送信方法（転送・送信ステップ）は、ハンドオーバ元ノード２又は上位ノード１が、ハンドオーバ先ノード３において、残留パケットを保持するリソースを確保し、新規パケットを送信するようにしている。具体的には、残留パケットを有するハンドオーバ元ノード２が、転送先のハンドオーバ先ノード３に対してリソース配分要求を送信する。このとき、ハンドオーバ元ノード２は、残留パケットを全部送信し切れる程度の容量を有するリソースを確保するようにハンドオーバ先ノード３に要求する。なお、ハンドオーバ元ノード２は、転送データを新規パケットよりも高い優先度で送信するために、送信部２ｆ（図３参照）が優先度を割り当ててリソースを要求することが望ましい。
【００８４】
このように、残留パケットの転送中においても新規パケットが送信され続ける。また、転送データはカプセル化されずに転送される。
（４−１）転送方法の説明
以下、（４−１−１）〜（４−１−３）にてハンドオーバ元ノードとハンドオーバ先ノードとの間における転送を説明し、（４−１−４）にてハンドオーバ先ノードと移動機との間における転送を説明する。
【００８５】
転送方法は以下に示す方法を用いることができ、図１０〜図１６を用いて説明する。なお、図１０〜図１６に示す転送方法を組み合わせることができる。
（４−１−１）図１０は本発明の第１実施形態に係るリソース配分要求による調停方法を説明するための図である。この図１０に示すハンドオーバ元ノード２は、ハンドオーバ先ノード３に対して、現在のリソースの空き状況の報告を要求する（リソース配分要求）。そして、ハンドオーバ先ノード３は、バッファ３ｇの空き容量を調べて、空いているリソース配分を通知する（リソース配分許可）。ハンドオーバ元ノード２は、そのリソース空き状況に従って、ハンドオーバ元ノード２自身が保持する残留パケットのうち転送可能な分のデータを転送する（ユーザデータ転送）。ハンドオーバ元ノード２は、この転送を残留パケットがなくなるまで繰り返す。これにより、リソースが効率的に使用される。
【００８６】
（４−１−２）図１１は本発明の第１実施形態に係る空きバッファ容量の測定による転送方法を説明するためのフローチャートである。この図１１に示すパケット転送・送信方法は、ハンドオーバ元ノード２が、ハンドオーバ先ノード３に対して、「バッファ空き容量測定要求」メッセージを送信し、ハンドオーバ先ノード３が、自分自身の受信バッファ空き容量を測定して（ステップＡ１）、その測定結果を「測定報告」メッセージとして、ハンドオーバ元ノード２に対して送信する。
【００８７】
そして、ハンドオーバ元ノード２は、その「測定報告」をハンドオーバ先ノード３から受信すると、ハンドオーバ先ノード３にリソースの空き容量が残っているか否かを判定し（ステップＡ２）、空き容量が不足しているときは、ＮＯルートを通り、処理の先頭に戻る。一方、空き容量が残っている場合は、ＹＥＳルートを通り、ハンドオーバ元ノード２は、空き容量に余裕があると判定して、残留パケット送信方法のパターンを決定し、ハンドオーバ先ノード３に対して空き容量分のデータ転送をする（空き容量分データ転送）。ここで、ハンドオーバ元ノード２は、分割数を調整しデータを一括送信するか又は分割送信するかを上位ノード１又は基地局（ハンドオーバ前、後）からの判断指示に基づいて決定する。
【００８８】
ステップＡ３において、ハンドオーバ先ノード３は、転送されたデータを先の測定において空きと検出した受信バッファ領域に格納し、格納データ量、格納時間等に応じて、ハンドオーバ先ノード３自身の内部に設けられたバッファにデータを転送する。
従って、本発明のハンドオーバ元ノード２が、測定ステップにて測定したリソースの容量に基づいて、残留パケットのうちの転送可能なものを転送している（スケジューリングステップ）。
【００８９】
（４−１−３）分散転送の説明
この分散転送とは、ハンドオーバ元ノード２が残留パケットをハンドオーバ先ノード３に送信し、ハンドオーバ先ノード３が到着した順にデータを移動機４に送信する方法である。
図１２は本発明の第１実施形態に係る分散転送を説明するための図である。この図１２に示すハンドオーバ元ノード２は、ハンドオーバ先ノード３に対するリソース状況の通知および配分などを要求せず、その代わりに、残留パケットを少量づつ分割（分散）して送信し、新規パケットの送信の合間などを利用して残留パケットを送信するようになっている。
【００９０】
このパターンの転送・送信ステップは、ハンドオーバ元ノード２が、残留パケットを、無線区間における通信レートに応じたデータ量を有する複数のパケットに分割し（分割ステップ）、分割ステップにて分割した複数の分割パケットをハンドオーバ先ノード３に対して送信する（分割送信ステップ）。そして、ハンドオーバ先ノード３が、この分割送信ステップにて送信された複数の分割パケットと上位ノード１から送信された複数の新規パケットとが混在する複数のパケットを、受信順に基づいて移動機４に対して送信するのである（着順送信ステップ）。
【００９１】
これにより、ハンドオーバ元ノード２は、定期的な送信又はランダム間隔送信を用いて、残留パケットを分散して送信し、ハンドオーバ先ノード３は、新規パケット又は残留パケットにかかわらず、先に受信したパケットを移動機４に送信する。
（４−１−４）ハンドオーバ先ノード３と移動機４との間におけるデータ送信方法
（４−１−４−１）無線送信間隔（送信間隔）を変化させる転送方法
この転送方法は、ハンドオーバ元ノード２が、分割した複数の分割パケットをハンドオーバ先ノード３に対して送信するに当たり、データ（パケット）転送中の送信間隔を変化させる。
【００９２】
図１３（ａ），（ｂ）はそれぞれ本発明の第１実施形態に係る送信間隔を変化させる転送方法を説明するための図である。この図１３（ａ）に示す送信間隔Ｔは、ハンドオーバ元ノード２からハンドオーバ先ノード３へのデータ（パケット）を転送していない場合の送信間隔であって、ハンドオーバ先ノード３から移動機４へのデータ送信間隔は、時間で一定である。一方、転送中の場合は、図１３（ｂ）に示すハンドオーバ先ノード３は、新規パケット，転送パケットの送信間隔を時間間隔Ｔ′に狭めて、パケットを移動機４に対して送信するようになっている。なお、図１３（ｂ）および後述する図１４（ｂ）において新規，転送と表示されたものは、それぞれ、新規パケット，転送パケットを表す。
【００９３】
なお、新規パケットの送信間隔は、上位ノード１により決定され、ハンドオーバ先ノード３は、上位ノード１からのトランスポートチャネル変更要求により送信間隔を通知される。さらに、転送パケットの送信間隔は、ＨＳ−ＤＳＣＨの場合は上位ノード１により決定され、ＤＳＣＨの場合はハンドオーバ元ノード２により決定される。この理由は、ＨＳ−ＤＳＣＨの場合、上位ノード１がＲＮＣ２−０，２−１であって、下位ノードの基地局３−１，３−２について呼制御を行なうからである。また、ＤＳＣＨの場合、下位ノードがＲＮＣ２−０，２−１であって、上位ノードである交換機１について呼制御を行なうからである。
【００９４】
この転送方法により、転送された残留パケットと新規パケットとの両方を効率よく送信でき、通信レートが上昇する。また、これにより、通信レートを決定する要因のうちのデータ送信間隔を変化させることにより、通信レートが上昇できる。
このように、無線送信できる情報量を上位ノード１からの指示により増加又は変化させることにより、ハンドオーバ先ノード３のバッファ３ｇの容量を一定にでき、また、無線リソースの最適化に寄与できる。
【００９５】
（４−１−４−２）ハンドオーバ先ノード３が移動機４へ送信する単位データ量を増加させることもできる。
図１４（ａ），（ｂ）はそれぞれ本発明の第１実施形態に係るハンドオーバ先ノード３から移動機４へ送信する単位データ量を変化させる方法を説明するための図である。この図１４（ａ）に示す転送中でない場合は新規データを送信するための伝送量「１」が設定される一方、図１４（ｂ）に示す転送中の場合は伝送量「２」が設定される。すなわち、ハンドオーバ元ノード２が、送信するに当たり、ハンドオーバ元ノード２が、単位送信間隔におけるデータ量（伝送量「１」から伝送量「２」への増加）を変化させて送信するようになっている。
【００９６】
換言すれば、（４−１−４−１）との相違点は、（４−１−４−１）が送信間隔を変化させることにより通信レートを上昇させているのに対して、図１４（ｂ）に示す調停方法は、送信間隔を変動させずに、一度に送信可能なデータ量を増加させることにより通信レートを上昇させるようにしている点である。また、（４−１−４−１）およびこのパターンを組み合わせることもできる。
【００９７】
なお、ハンドオーバ先ノード３は、上位ノード１からのトランスポートチャネル変更要求により送信間隔を通知される。また、転送パケットの送信間隔は、ＨＳ−ＤＳＣＨの場合は上位ノード１により決定され、ＤＳＣＨの場合はハンドオーバ元ノード２により決定される。
これにより、やはり、残留パケットと新規パケットとを同時の送信でき、通信レートが上昇する。
【００９８】
（４−１−５）データ転送用のトランスポートチャネルを追加する方法
図１５（ａ），（ｂ）はそれぞれ本発明の第１実施形態に係るデータ転送用のトランスポートチャネルを追加する方法を説明するための図である。この図１５（ａ）は転送中でない場合のユーザデータの流れを示す図であり、ハンドオーバ元ノード２又はハンドオーバ先ノード３は、ユーザデータをトランスポートチャネルにより移動機４に送信する。
【００９９】
図１５（ｂ）は転送中の場合を示し、上位ノード１が、ハンドオーバ元ノード２から残留パケットを転送するためのトランスポートチャネルを、新規パケットを送信するトランスポートチャネルに追加設定する。ここで、調停部（ＭＵＸ）３ｈは、ハンドオーバ元ノード２からの転送データと上位ノード１からの新規データとを調停するものである。ハンドオーバ先ノード３は、各トランスポートチャネルにおけるデータレートおよび両チャネルを併せた場合の上限データレート又は各トランスポートチャネルの優先度などに基づいて、各トランスポートチャネルを用いて送信するデータを決定する。
【０１００】
本発明のパケット転送・送信方法は、上位ノード１が、無線区間におけるパケット量に基づいて、ハンドオーバ先ノード３およびハンドオーバ元ノード２間に、転送チャネルの一部からの別個の転送チャネルの割り当てを確保する（チャネル設定ステップ）。
チャネル割り当ての一例として、図１５（ｂ）に示す転送データ用トランスポートチャネルと新規データ用トランスポートチャネルとが確保され、これらの２本のトランスポートチャネルを介してハンドオーバ先ノード３に転送データおよび新規データが転送・送信される。また、ハンドオーバ先ノード３の調停部３ｈにおいて、これらの２種類のトランスポートチャネルから受信したパケットが調停される。
【０１０１】
そして、ハンドオーバ先ノード３は、チャネル設定ステップにて確保した一部の別個の転送チャネルと、新規チャネルとを用いたパケット送信のスケジューリングを行ない（スケジューリングステップ）、新規パケットおよび残留パケットをスケジューリングステップにおけるスケジューリングに基づいて移動機４に対して送信する（スケジューリング送信ステップ）。
【０１０２】
ハンドオーバ先ノード３は、上位ノード１からの指示により残留パケット転送用のトランスポートチャンネルを追加し、転送用トランスポートチャネルと通常用トランスポートチャネルとの双方について、無線を介して移動機４に送信する送信データ量に応じたスケジューリングを行ない、スケジューリングに従って送信されたパケットを移動機４に送信する。
【０１０３】
さらに、図１５（ｂ）に示す調停部３ｈは、パケットの優先度に基づいて２種類の調停方法を有し、転送データの優先度が新規データの優先度よりも大きい場合と、転送データの優先度と新規データの優先度とが同一の場合との２種類について、それぞれ、スケジューリング送信又はスケジューリング受信を行なって、パケットを移動機４に対して送信する。
【０１０４】
なお、Ｗ−ＣＤＭＡシステム５０においては、このスケジューリングは、ＭＡＣ（Ｍｅｄｉａ Ａｃｃｅｓｓ Ｃｏｎｔｒｏｌ）レイヤにおけるＴＦＣＳ（Ｔｒａｎｓｐｏｒｔ Ｆｏｒｍａｔ Ｃｏｍｂｉｎａｔｉｏｎ Ｓｅｔ）によるスケジューリングおよびプライオリティ制御に類似する。
また、上位ノード１は、転送チャネルから別個に転送チャネルを割り当てる代わりに、新規チャネルを割り当てることもできる。
【０１０５】
このように、通信のリアルタイム性が向上し、サービスの質が向上する。
（４−１−６）ＡＲＱサブチャネルをデータ転送用に振り分ける又は追加する方法
図１６（ａ）〜図１６（ｄ）はそれぞれ本発明の第１実施形態に係るサブチャネルの構成を変化させる転送方法を説明するための図である。ここで、図１６（ａ）および図１６（ｃ）（図１６（ａ）と同一のものを表す。）は、いずれも、転送中でない場合のものであり、図１６（ｂ）および図１６（ｄ）は、いずれも、転送中の場合を示している。
【０１０６】
これらの図１６（ａ）〜図１６（ｄ）に示すハンドオーバ先ノード３は、移動機４との間における無線区間のフレームフォーマットを変更させている。
図１６（ａ），（ｂ）にそれぞれ示すサブチャネル１（Ｓｕｂ ＣＨ−１）〜サブチャネルｎ（Ｓｕｂ ＣＨ−ｎ）の全体部分の時間は、データ送信から送達確認までの待ち時間に相当し、パケットを送信したノードについて、パケット送信後、ＡＣＫの受信までの時間である。なお、ｎは自然数を表す。図１６（ｂ）に示す待ち時間のうちのサブチャネルｎは、転送データの送信のために割り当てられている。
【０１０７】
Ｗ−ＣＤＭＡシステム５０におけるＨＳ−ＤＳＣＨチャネルなどの再生方法は、再送プロトコルの単純化のために、パケットを送信した側は、送信先のノードから、送達確認（ＡＣＫ）を受信するまでの間、次のデータを送信しない。この再生方法は、上位ノード１が、前記待ち時間を複数のサブチャネルに分割し、それぞれ別個に並行して伝送させるようになっている。
【０１０８】
また、図１６（ｄ）に示す待ち時間のうちのサブチャネルｎ＋１が転送データ用に割り当てられており、サブチャネルｎは新規データ用に割り当てられているが、図１６（ｂ）に示す待ち時間と異なる。例えば、サブチャネル１にて送信されたデータが移動機４に到達し、そのデータは移動機４においてＡＲＱ処理される。従って、基地局が移動機４からのＡＣＫを受信するのは、サブチャネルｎよりも後の時間となる。
【０１０９】
このため、本発明のパケット送信・転送方法は、基地局がサブチャネル１を送信した後から、そのＡＣＫを受信するまでの時間を、図１６（ｄ）に示すように、サブチャネル２〜サブチャネルｎとして分割するのである。
これにより、複数のサブチャネルが用いられている場合に、ハンドオーバ先ノード３が、ハンドオーバ元ノード２からの転送データ専用にサブチャネルの一部を割り当て又はサブチャネルを追加し、新規パケットと転送データとを並行送信できる。
【０１１０】
このように、無線送信する再送考慮型フレームフォーマットを上位ノード１からの指示を用いて変更させることにより、ハンドオーバ先ノード３のバッファ３ｇの容量を一定にでき、無線リソースの最適化に寄与できる。
（５）パターンＢの動作シーケンス例の説明
このような構成により、残留パケットの転送中においても新規パケットを送信するとともにカプセル化されない転送パケットの転送・送信方法についてのシーケンス例について図１７〜図１９を用いて説明する。これらの図１７〜図１９に示す名称で、上述したものと同一名称を有するものは同一のもの又は同様の機能を有するものなので、更なる説明を省略する。また、ＡＲＱは、いずれも、各ノードに設けられたＡＲＱ機能を表す。
【０１１１】
（５−１）リソース配分要求による転送方法
図１７は本発明の第１実施形態に係るリソース配分要求による転送方法を説明するためのシーケンス例である。（５−１−１）〜（５−１−９）はそれぞれ図１７の符号１〜９に対応する。
（５−１−１）移動機４は、受信した信号品質の低下により、ハンドオーバが開始される。ハンドオーバの起因は、移動機４からの要求又は移動機４からの無線状況報告に基づく上位ノード１の判断である。ここで、上位ノード１がハンドオーバ実施（ＨＯ実施）を決定し、移動機４がハンドオーバを開始するために、ハンドオーバ先ノード３に対してハンドオーバ準備要求を送信する。
【０１１２】
（５−１−２）上位ノード１は、ハンドオーバ先ノード３に対して、ハンドオーバする移動機４を収容するリソースの確保を要求する。具体的には、ハンドオーバ先ノード３は、この要求を受信すると、上位ノード１とハンドオーバ先ノード３との間のメッセージ送受信が最初の場合は、共有チャネルを新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【０１１３】
なお、このハンドオーバの準備は、ハンドオーバ先ノード３において、ハンドオーバをする移動機４を収容するための共有チャネルをリソースとして確保するようになっている。
また、上位ノード１はこの完了を受信すると、ハンドオーバ元ノード２に対してハンドオーバ実施許可を通知し、また、移動機４に対してハンドオーバ実施要求を送信する。
【０１１４】
（５−１−３）上位ノード１は、ハンドオーバ元ノード２に対して、ハンドオーバの実施を許可する。
（５−１−４）上位ノード１は、移動機４に対して、ハンドオーバ指示（ハンドオーバ実施要求）を送信する。移動機４は、その指示に従って、ハンドオーバ先ノード３と通信チャネルを確保する。
【０１１５】
（５−１−５）ハンドオーバ元ノード２に残留しているデータをハンドオーバ先ノード３に転送するためのベアラチャネルが設定される。このベアラチャネルはハンドオーバ元ノード２とハンドオーバ先ノード３との間を直接接続するように設定してもよく、又は上位ノード１を経由するように設定してもよい。
（５−１−６）また、ハンドオーバ元ノード２は、ハンドオーバ先ノード３に対して、残留パケットを送信するために必要なリソースを配分する要求を送信する。ハンドオーバ先ノード３は、この要求を受信後、要求された分のリソースを確保しハンドオーバ元ノード２に対して、リソース確保を通知する。
【０１１６】
（５−１−７）ハンドオーバ元ノード２は、リソース確保の通知を受信すると、残留パケットの転送を開始する。ハンドオーバ先ノード３は、割り当てたリソースに従って、転送された残留パケットおよび新規パケットを移動機４に送信する。
（５−１−８）残留パケットの転送が完了すると、ハンドオーバ元ノード２は、ハンドオーバした移動機４が確保していたリソースを開放する。
【０１１７】
（５−１−９）上位ノード１は、残留パケット転送用に設定したベアラチャネルを開放する。
このようにして、可変の通信レートを用いてもデータ残留を回避でき、さらに、再送の増加を防止できる。
（５−２）分散転送による調停方法
図１８は本発明の第１実施形態に係る分散転送による転送方法を説明するためのシーケンス例である。（５−２−１）〜（５−２−９）はそれぞれ図１８の符号１〜９に対応する。
【０１１８】
（５−２−１）移動機４が受信した信号品質の低下により、ハンドオーバが開始する。ハンドオーバの起因は、移動機４からの要求又は移動機４からの無線状況報告に基づく上位ノード１の判断による。
（５−２−２）上位ノード１は、ハンドオーバ先ノード３に対して、ハンドオーバする移動機４を収容するリソースの確保を要求する。ハンドオーバ先ノード３は、この要求に基づいてリソースを確保する。上位ノード１とハンドオーバ先ノード３との間のメッセージ送受信が最初の場合は、共有チャネルを新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【０１１９】
（５−２−３）上位ノード１は、ハンドオーバ元ノード２に対して、ハンドオーバの実施を許可する。
（５−２−４）上位ノード１は、移動機４に対して、ハンドオーバ指示を送信する。移動機４は、その指示に従って、ハンドオーバ先ノード３と通信チャネルを確保する。
（５−２−５）ハンドオーバ元ノード２に残留しているデータをハンドオーバ先ノード３に転送するためのベアラチャネルが設定される。このベアラチャネルは、ハンドオーバ元ノード２とハンドオーバ先ノード３との間を直接接続してもよく、又は上位ノード１を介して設定してもよい。
【０１２０】
（５−２−６）上位ノード１は、ハンドオーバ元ノード２に対して、残留パケットの転送を要求する。
（５−２−７）ハンドオーバ元ノード２は、ハンドオーバ先ノード３に対して、残留パケットを少量づつ分散して転送する。ハンドオーバ先ノード３は、転送された残留パケットおよび新規パケットを先に到着した順に移動機４に送信する。
【０１２１】
（５−２−８）残留パケットの転送が完了すると、ハンドオーバ元ノード２は、ハンドオーバした移動機４が確保していたリソースを開放する。
（５−２−９）上位ノード１は、残留パケット転送用に設定したベアラチャネルを開放する。
このように、新規パケットの送信の合間などを利用して残留パケットが転送されるので、効率的な転送が可能となる。
【０１２２】
（５−３）送信間隔／情報量の変更、トランスポートチャネル追加およびサブチャネル構成の変更
図１９は本発明の第１実施形態に係る送信間隔／情報量の変更，トランスポートチャネル追加およびサブチャネル構成の変更方法を説明するためのシーケンス例である。（５−３−１）〜（５−３−１０）はそれぞれ図１９の符号１〜１０に対応する。
【０１２３】
（５−３−１）移動機４が受信した信号品質の低下により、ハンドオーバが開始する。ハンドオーバの起因は、移動機４からの要求又は移動機４からの無線状況報告に基づく上位ノード１における判断による。
（５−３−２）上位ノード１は、ハンドオーバ先ノード３に対して、ハンドオーバする移動機４を収容するリソースの確保を要求する。ハンドオーバ先ノード３は、この要求に基づいてリソースを確保する。また、上位ノード１とハンドオーバ先ノード３との間のメッセージ送受信が最初の場合は、共有チャネルを新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【０１２４】
（５−３−３）上位ノード１は、ハンドオーバ元ノード２に対して、ハンドオーバの実施を許可する。
（５−３−４）上位ノード１は、移動機４に対して、ハンドオーバ指示を送信する。移動機４は、その指示に従って、ハンドオーバ先ノード３と通信チャネルを確保する。
（５−３−５）ハンドオーバ元ノード２に残留しているデータをハンドオーバ先ノード３に転送するためのベアラチャネルが設定される。このベアラチャネルは、ハンドオーバ元ノード２とハンドオーバ先ノード３との間を直接接続してもよく、又は上位ノード１を介して設定してもよい。
【０１２５】
（５−３−６）転送用のベアラチャネルの設定後、上位ノード１は、ハンドオーバ先ノード３に対して、転送データと新規パケットを並行して送信できるように、転送用トランスポートチャネルの追加，トランスポートチャネルの送信間隔の変更又はトランスポートチャネルの送信情報量の増加などトランスポートチャネルの変更を要求する。ハンドオーバ先ノード３は、上位ノード１からの要求に応じてトランスポートチャネルを更新する。
【０１２６】
（５−３−７）上位ノード１は、ハンドオーバ元ノード２に対して、残留パケットの転送を要求する。ハンドオーバ元ノード２は、要求を受信すると、ハンドオーバ先ノード３に対して、の残留パケットの送信を開始する。
（５−３−８）ハンドオーバ元ノード２は、残留パケットの転送が完了後、上位ノード１に対して、転送完了を通知する。上位ノード１は、転送完了通知を受信後、ハンドオーバ先ノード３に対して、再度トランスポートチャネルの変更要求を送信し転送前に追加又は変更したトランスポートチャネルを変更前の最初の設定に戻すよう要求する。ハンドオーバ先ノード３は、上位ノード１からの要求に従って、トランスポートチャネル設定をハンドオーバ前の状態に戻す。
【０１２７】
（５−３−９）残留パケットの転送が完了すると、ハンドオーバ元ノード２は、ハンドオーバした移動機４が確保していたリソースを開放する。
（５−３−１０）上位ノード１は、残留パケット転送用に設定したベアラチャネルを開放する。
このように、広帯域幅を確保しつつ収容可能なユーザ数を維持し、ソフトハンドオーバ時において効率よく回線をシェアでき、可変の通信レートを用いてもデータ残留を回避でき、さらに、再送の増加を防止可能となる。
【０１２８】
（Ｂ）本発明の第２実施形態の説明
ハンドオーバ元ノード２が、ハンドオーバ先ノード３に対して残留パケットを転送するときは、有線の伝送路を使用するため、信号損失および信号化けはほとんど生じない。このため、パターンＡおよびパターンＢにおいて、残留パケットは、再送プロトコルなどのデータ疎通の完全性を保証するためのオーバヘッドを付与されない状態で転送される。
【０１２９】
これに対して、第２実施形態にて説明するパターンＣおよびパターンＤは、残留パケットが、ハンドオーバ元ノード２からハンドオーバ先ノード３に転送されるときに、オーバヘッドが付与されてカプセル化されるようになっている。これにより、ハンドオーバ元ノード２からハンドオーバ先ノード３までのデータ疎通の完全性が保証されるとともに、ハンドオーバ元ノード２から移動機４までのデータ疎通の完全性も保証される。
【０１３０】
なお、第２実施形態におけるＷ−ＣＤＭＡシステムも、Ｗ−ＣＤＭＡシステム５０と同一である。
（６）第２実施形態に係る転送データのカプセル化の説明
カプセル化の対象は、ハンドオーバ元ノード２が、バッファリングしているデータをハンドオーバ先ノード３に送信するときに、ハンドオーバ元ノード２から送信される残留パケットのフレームである。ハンドオーバ元ノード２は、残留パケットのフレームヘッダの分解又は組み立てのいずれをも行なわずに、ハンドオーバ先ノード３が、上位ノード１からの指示又は受信した残留パケットに含まれる識別情報に基づいて、残留パケットをカプセル化する方法（トンネリング方法）を用いる。また、ハンドオーバ先ノード３は、ハンドオーバ元ノード２にバッファリングされていた残留パケットを移動機４にすべて送信し終えて、移動機４に送信すべき残留パケットが消滅すると、カプセル化処理を終了する。
【０１３１】
このカプセル化により、データ疎通の完全性が保証され、また、高速な処理が可能になる。
カプセル化については、ハンドオーバ前にハンドオーバ元ノード２が、移動機４との間において送受信していたときに使用していた再送プロトコルは、ハンドオーバ元ノード２，ハンドオーバ先ノード３および移動機４の間においてデータ転送するときに使用されるようになっている。
【０１３２】
ここで、ハンドオーバ先ノード３と移動機４との間におけるデータ通信においてもハンドオーバ先ノード３と移動機４との間にて送受信するときに使用していた再送プロトコルが存在する。従って、ハンドオーバ元ノード２にて付与されるプロトコルヘッダと、ハンドオーバ先ノード３にて付与されるプロトコルヘッダとの２種類のプロトコルヘッダが同一の転送データに対して付与される。
【０１３３】
（７）２種類のヘッダの付与方法について
２種類のヘッダを転送データに付与して移動機４に送信する方法は、大きく２種類の方法（Ｍ１）および（Ｍ２）に分類できる。
（Ｍ１）ハンドオーバ元ノード２のプロトコルヘッダと転送されたユーザデータとが一つにカプセル化され、このカプセル化されたデータは、さらにハンドオーバ先ノード３のプロトコルヘッダを付与される。
【０１３４】
（Ｍ２）ハンドオーバ先ノード３が転送データを受信すると、ハンドオーバ元ノード２にて付与されたプロトコルヘッダを取り除き、ハンドオーバ先ノード３が付与するプロトコルヘッダをその転送データに付け直す。
以下、上記の２種類の方法に関して詳述し、各ノードとの間における制御信号およびユーザデータのシーケンスを説明する。
【０１３５】
（７−１）カプセル化する態様
図２０（ａ），（ｂ）〜図２４はいずれも本発明の第２実施形態に係るパケット転送方法を説明するための図である。これらの図に示すもので、上述したものと同一のものあるいは同様の機能を有する。この図２０に示すＡＲＱ−ＨはＡＲＱヘッダを表し、ＨＳ−ＤＳＣＨの場合、ＡＲＱ−Ｈは、「Ｈ−ＡＲＱ」の「ヘッダ」を意味する。
【０１３６】
図２０（ａ）に示す移動機４が、ハンドオーバを開始すると、ハンドオーバ元ノード２は、品質劣化を検出する。ハンドオーバ先ノード３は、この検出を契機として、上位ノード１からのユーザデータに、Ｈ−ＡＲＱ（ＡＲＱ−Ｈと表示されたもの）のためのヘッダを付与する（図２０（ｂ）参照）。また、ヘッダ付与の契機は、上位ノード１が品質劣化を検出してハンドオーバ元ノード２に対して通知する。
【０１３７】
次に、図２１に示すハンドオーバ元ノード２は、上位ノード１に対してサスペンド要求を送信して、残留パケット転送のため新規パケット送信を停止させる。
図２２（ａ）に示すハンドオーバ元ノード２は、残留パケットを上位ノード１経由でハンドオーバ先ノード３に対して転送し、ハンドオーバ先ノード３は、その残留パケットを移動機４へ送信する，ここで、ハンドオーバ先ノード３は、ハンドオーバ元ノード２からのヘッダ付きパケットに、さらに、Ｈ−ＡＲＱのためのヘッダを付与する（図２２（ｂ）参照）。
【０１３８】
図２３に示すハンドオーバ元ノード２は、残留パケット転送が完了した後、上位ノード１に対してリジューム（再開）要求を送信して、新規パケット送信を再開させる。
そして、図２４（ａ）に示す上位ノード１は、ハンドオーバ先ノード３に対して新規パケットを送信し、ハンドオーバ先ノード３は、その新規パケットを移動機４に対して送信する。ここで、ハンドオーバ先ノード３は、新規パケットに、Ｈ−ＡＲＱのためのヘッダを付与する（図２４（ｂ）参照）。
【０１３９】
従って、転送・送信に当たり、ハンドオーバ元ノード２が上位ノード１からの指示又は受信フレームの識別により、残留パケットをカプセル化（第１カプセル化）するとともに、ハンドオーバ先ノード３が残留パケットをカプセル化（第２カプセル化）して、残留パケットを移動機４に対して送信するようになっている。
このように、ハンドオーバ元ノード２のプロトコルヘッダと転送されたユーザデータとが、一つにカプセル化され、このカプセル化されたデータは、さらにハンドオーバ先ノード３において、ハンドオーバ先ノード３のプロトコルヘッダが別個に付与されるのである。
【０１４０】
以下、ハンドオーバ先ノード３にて付与されたプロトコルヘッダにハンドオーバ元ノード２にて付与されるプロトコルヘッダを付与することを、「相乗り」と称する。
（７−２）相乗りの説明
相乗りが実施された場合において、転送・送信するに当たり、ハンドオーバ先ノード３が、移動機４に対して送信するフレームに、カプセル化したパケットと通常のパケットとを識別する識別情報（情報要素）を挿入するようになっている。すなわち、移動機４のＡＲＱが２種類のＡＲＱを正常に監視できるようにパケットに識別情報が挿入されるのである。この挿入方法は、以下に示す４パターンを用いることができる。
【０１４１】
（７−２−１）パケットに、相乗りを指示するための領域が設けられ、かつ転送データと新規パケットとのヘッダおよびデータ長がともに同一であるパターン
図２５（ａ），（ｂ）はそれぞれ本発明の第２実施形態に係る第１のフレームフォーマットを説明するための図である。この図２５（ａ）に示すフレームは、ハンドオーバ先ノード３がハンドオーバ元ノード２からの転送データをパケット化したものであり、ハンドオーバ先ノード３が付与するヘッダと、ハンドオーバ元ノード２が付与するヘッダと、ユーザデータとの３種類の領域を有する。このハンドオーバ先ノード３が付与するヘッダは、各データ又は各無線フレームに付けられた識別番号を表すシーケンス番号（Ｓｅｑｕｅｎｃｅ Ｎｕｍｂｅｒ：ＳＮ）と、相乗りしているか否か（次にプロトコルヘッダが再度付与されているか否か）を示すための識別情報とを含む。
【０１４２】
また、図２５（ｂ）に示すフレームは、上位ノード１からの新規データをパケット化したものである。この新規パケットは、相乗りを行なうものではないが、ハンドオーバ先ノード３が、新規パケットに、ハンドオーバ元ノード２のプロトコルヘッダを挿入するために必要なサイズの領域を常時未使用領域として付与し、これにより、ヘッダ部とデータ部とを含めた新規パケットのデータ長と転送パケットのデータ長とが同一にされる。
【０１４３】
従って、転送・送信するに当たり、ハンドオーバ先ノード３が、移動機４に対して送信するフレームに、残留パケット用のヘッダ領域を常時確保している。これにより、移動機４は、カプセル化したデータと通常のカプセル化していない情報とを識別する必要がなくなる。
また、ハンドオーバ先ノード３は、シーケンス番号を送信したハンドオーバ元ノード２を記憶することにより、変換、再送プロトコルによる再送要求又は受信完了などの応答信号をハンドオーバ元ノード２にそれぞれ送信するようにもできる。
【０１４４】
そして、移動機４は、この識別情報により、次ヘッダの有無を認識し、次ヘッダがある（次ヘッダが付与されていることを指示される）場合は、次のプロトコルヘッダを読み込み、相乗りしているプロトコル情報を取得する。また、移動機４は、次ヘッダがない（次ヘッダが付与を指示されていない）場合は、次のプロトコルヘッダ分の領域を無効領域としてその内容を読まない。
【０１４５】
このように、ハンドオーバ先ノード３がプロトコルヘッダの一部として、次ヘッダ領域の有無を認識できる。また、転送データと新規パケットとが、同一のヘッダおよびデータ長にされることにより、移動機４は、ヘッダ認識処理手順が簡素化される。
（７−２−２）相乗り用を指示する領域有り、かつ転送データと新規パケットとのヘッダ長は別のパターン
図２６（ａ），（ｂ）はそれぞれ本発明の第２実施形態に係る第２のフレームフォーマットを説明するための図である。この図２６（ａ）に示すフレームは、ハンドオーバ元ノードから転送されてハンドオーバ先ノード３によりＡＲＱヘッダを付与されたものである。ここで、ハンドオーバ先ノード３にて付与されるＡＲＱヘッダは、次ヘッダ領域有りを示す領域を有する。従って、ハンドオーバ先ノード３が、プロトコルヘッダの一部として、相乗りを行なっているか否か、すなわち、次にプロトコルヘッダが再度付与されているか否かを示す識別情報をヘッダの一部に含める。これにより、ハンドオーバ先ノード３にて付与されるプロトコルヘッダにハンドオーバ元ノード２にて付与されるプロトコルヘッダが相乗りされる。
【０１４６】
一方、相乗りを行なわない新規パケット（図２６（ｂ）参照）は、ハンドオーバ元ノード２のプロトコルヘッダは付与されないので、転送データのデータ長と新規パケットのデータ長とは異なる。従って、送信側のハンドオーバ先ノード３と受信側の移動機４とは、ともに、２種類又はそれ以上のデータ長を識別する手段（図示省略）が設けられている。
（７−２−３）相乗り用を指示する領域有り、かつ転送データと新規パケットとのデータ長とヘッダ長とが別のパターン
図２７（ａ），（ｂ）はそれぞれ本発明の第２実施形態に係る第３のフレームフォーマットを説明するための図である。ハンドオーバ先ノード３は、図２７（ａ）に示すプロトコルヘッダの一部として、相乗りを行なっているか否か、すなわち、次にプロトコルヘッダが再度付与されているか否かを示す識別情報を含めることにより、相乗りさせている。
【０１４７】
また、相乗りを行なわない新規パケット（図２７（ｂ）参照）は、ハンドオーバ元ノード２のプロトコルヘッダを付与されないので、ハンドオーバ先ノード３は、データ部の長さを変更してヘッダ長の違いを補い、データ部およびヘッダ部の両方を併せることにより、送信データ長を転送データと同一にしている。このため、受信側の移動機４は、識別情報により次のヘッダの付与が指示されている場合は、再度プロトコルヘッダを読み込み，相乗りしているプロトコルの情報を取得する。また、移動機４は、その指示がない場合は、ユーザデータが続いていると処理するようにしている。
【０１４８】
（７−２−４）ヘッダ圧縮
図２８（ａ），（ｂ）はそれぞれ本発明の第２実施形態に係る第４のフレームフォーマットを説明するための図である。この図２８（ａ）に示すフレームは、「ヘッダ圧縮有り」を示す識別情報を付与されており、また、転送データと新規パケットとのヘッダ長を同一とし、データ長をも同一にしている。ハンドオーバ元ノード２とハンドオーバ先ノード３とがいずれも、プロトコルヘッダを圧縮してヘッダ長を短縮し、プロトコルヘッダの相乗りによる送信データ長の増加を補うことにより、送信データ長を新規パケットと同一としている。
【０１４９】
従って、プロトコルヘッダの一部として含めた識別情報により、受信側の移動機４は、ヘッダ圧縮を行なっているか否かを認識できる。移動機４は、識別情報によりヘッダ圧縮が指示されている場合は、読み込んだプロトコルヘッダを相乗りしているプロトコルヘッダと相乗りされているプロトコルヘッダとに分解する。
一方、移動機４は、例えば図２８（ｂ）に示すフレームのように、相乗りの指示がない場合はそのままヘッダおよびデータを読み込む。
【０１５０】
（７−３）カプセル化されたときの動作説明
このような構成によって、カプセル化された残留データの転送が行なわれる。
図２９は本発明の第２実施形態に係るカプセル化による残留パケット転送方法を説明するためのシーケンス例である。この図２９に示す移動機（ＵＥ）４，ハンドオーバ元ノードおよびハンドオーバ先ノードにそれぞれ表示された「ＡＲＱ」は、ＡＲＱ制御部４ｄ（図５参照），ＡＲＱ制御部２ｄ（図３参照）およびＡＲＱ制御部３ｄ（図４参照）を表し、他の図面においても同様である。なお、それ以外のものは、上述したものと同一のものあるいは同様の機能を有する。（７−３−１）〜（７−３−１１）はそれぞれ図２９の符号１〜１１に対応する。
【０１５１】
（７−３−１）移動機４が受信した信号品質の低下により、ハンドオーバが開始する。ここで、ハンドオーバの起因は、移動機４からの要求又は移動機４からの無線状況報告に基づく上位ノード１における判断である。
（７−３−２）上位ノード１は、ハンドオーバ先ノード３に対して、ハンドオーバする移動機４を収容するためのリソース確保を要求し、ハンドオーバ先ノード３は、この要求に基づいてリソースを確保する。また、上位ノード１とハンドオーバ先ノード３との間のメッセージ送受信が最初の場合は、ハンドオーバ先ノード３が共有チャネルを新規に起動する。なお、既に起動しているチャネルがある場合、ハンドオーバ先ノード３は、ユーザを追加する。
【０１５２】
（７−３−３）上位ノード１は、ハンドオーバ元ノード２に対して、ハンドオーバの実施を許可する。ハンドオーバ元ノード２は、許可を受信すると、上位ノード１に対して、サスペンド要求を送信し、新規パケットの送信を停止させる。なお、このシーケンスにおいて、ハンドオーバ元ノード２がサスペンド要求を送信する代わりに、上位ノード１自身が新規パケットの送信を停止することもできる。
【０１５３】
（７−３−４）上位ノード１は、移動機４に対して、ハンドオーバ指示を送信する。移動機４は、その指示に従って、ハンドオーバ先ノード３と通信チャネルを確保する。
（７−３−５）このハンドオーバにおいて、移動機４は、ハンドオーバ元ノード２用に設けられて（ハンドオーバ元ノード２に対向して設けられた）起動していた再送プロトコルエンティティに加えて、さらに、ハンドオーバ先ノード３用の再送プロトコルエンティティを起動する。
【０１５４】
（７−３−６）ハンドオーバ元ノード２と上位ノード１との間において、転送用のベアラチャネルが設定され、ハンドオーバ元ノード２に残留しているデータを上位ノード１によりハンドオーバ先ノード３に転送するためのパスが設定される。なお、このベアラチャネルは、ハンドオーバ元ノード２とハンドオーバ先ノード３との間を直接接続してもよい。
【０１５５】
（７−３−７）上位ノード１は、ハンドオーバ元ノード２に対して、残留パケットの転送を要求する。ハンドオーバ元ノード２は、この要求に従って、（７−３−６）にて設定したベアラチャネルを用いて、ハンドオーバ先ノード３に対して残留パケットを転送する。
ハンドオーバ先ノード３は、ハンドオーバ元ノード２から残留パケットを受信し移動機４に対して送信する。このとき、ハンドオーバ元ノード２は、ハンドオーバ前に続いて、転送データにプロトコルヘッダを付与して転送する。ハンドオーバ先ノード３は、この転送データに自分自身のプロトコルヘッダを相乗りさせて移動機４に送信する。
【０１５６】
（７−３−８）残留パケットの転送が完了すると、ハンドオーバ元ノード２は、ハンドオーバした移動機４が確保していたリソースを開放するとともに上位ノード１に対してリジューム要求を出力し、新規パケットの送信再開を要求する。なお、シーケンスは、ハンドオーバ元ノード２がリジューム要求を出力しているが、上位ノード１自身が行なってもよい。
【０１５７】
（７−３−９）上位ノード１は、リジューム要求を受信すると、残留パケット転送用に設定したベアラチャネルを開放する。
（７−３−１０）上位ノード１は、移動機４に対して、ハンドオーバ元ノード２についての再送プロトコルエンティティの解除を指示する。移動機４は、その指示に従って、ハンドオーバ元ノード２についての再送プロトコルエンティティを解除する。
【０１５８】
（７−３−１１）新規パケットの送信を再開する。
このように、ハンドオーバ元ノード２のプロトコルヘッダと転送されたユーザデータとがカプセル化され、このカプセル化されたデータが、ハンドオーバ先ノード３のプロトコルヘッダを付与される。
そして、このようにして、ハンドオーバ元ノード２からハンドオーバ先ノード３までのデータ疎通の完全性が保証されるとともに、ハンドオーバ元ノード２から移動機４までのデータ疎通の完全性も保証される。
【０１５９】
（７−４）プロトコルヘッダを付け直す方法について
ハンドオーバ先ノード３は、転送データを受信すると、ハンドオーバ元ノード２にて付与されたプロトコルヘッダを取り除き、新たにプロトコルヘッダを付与する。（Ｍ１）の方法においては、ハンドオーバ元ノード２とハンドオーバ先ノード３とがそれぞれ付与したプロトコルヘッダが使用されていたが、（Ｍ２）の方法においては、２種類のプロトコルヘッダを付与しないで、プロトコルヘッダを付け直す。この再送制御は次の２パターンを用いることができ、これにより、（Ｍ１）と同様の再送制御が行なわれる。
【０１６０】
（７−４−１）ハンドオーバ元ノード２にて付与されるヘッダとハンドオーバ先ノード３にて付与されるヘッダとの対応表を設ける方法
図３０は本発明の第２実施形態に係る対応表を用いてヘッダ情報を転送データに付与する方法を説明するための図である。この図３０に示すハンドオーバ先ノード３は、ハンドオーバ元ノード２にて付与されるヘッダとハンドオーバ先ノード３にて付与されるヘッダとの対応表１０を有する。例えば、ハンドオーバ元ノード２のユーザＡの転送パケットについて、ハンドオーバ元ノード２におけるＡＲＱ情報と、ユーザ名と、ハンドオーバ先ノード３におけるＡＲＱ情報（自ＡＲＱ情報）とが相互に対応付けられて対応表１０に記録されている。ここで、ハンドオーバ元ノード２におけるＡＲＱ情報とは、ハンドオーバ元ノード２にて付与されるプロトコルヘッダに含まれる例えばＳＮＲ（Ｓｉｇｎａｌ Ｎｏｉｓｅ Ｒａｔｉｏ）情報などである。また、ハンドオーバ先ノード３におけるＡＲＱ情報とは、ハンドオーバ先ノード３にて付与されるプロトコルヘッダ情報などである。
【０１６１】
そして、これらの情報が対応付けられて対応表１０に記録されることにより、ハンドオーバ元ノード２のプロトコルヘッダからハンドオーバ先ノード３のプロトコルヘッダに乗せ替えでき、これにより、ハンドオーバ先ノード３が移動機４に送信するパケットは、１種類のプロトコルヘッダを用いて再送プロトコルを管理できる。
なお、図３０に示すもので上述したものと同一符号を有するものは同一のもの又は同様の機能を有するものなので、更なる説明を省略する。
【０１６２】
ここで、ハンドオーバ先ノード３は、複数のユーザからの新規パケットを受信し、また、複数のハンドオーバ元ノード２からパケットが転送されるので、対応表１０は、ハンドオーバ元ノード２におけるエンティティを識別する情報（例えばユーザの識別情報又は回線の識別情報など）を記録することにより、複数のユーザおよび複数のハンドオーバ元ノード２を識別するようになっている。
【０１６３】
ハンドオーバ先ノード３の処理について、ハンドオーバ元ノード２，ハンドオーバ先ノード３，移動機４の方向へのデータ送信の場合の処理方法は、ハンドオーバ先ノード３が、ハンドオーバ元ノード２から受信したデータのユーザ名とそのＡＲＱ情報とを記憶する。次に、ハンドオーバ先ノード３の回線終端部２ｂ（図３参照）は、ＡＲＱヘッダを除いたデータをＡＲＱ制御部３ｄ（図３参照）に送信する。そして、このＡＲＱ制御部３ｄが割り当てた自ＡＲＱ情報と記憶したハンドオーバ元ノード２のＡＲＱ情報とをペアにして対応表１０に書き込まれるようになっている。
【０１６４】
一方、移動機４，ハンドオーバ先ノード３，ハンドオーバ元ノード２の方向の場合は、ハンドオーバ先ノード３の受信部２ａ（図３参照）は、移動機４からハンドオーバ先ノード３のＡＲＱ制御部３ｄに対するＡＣＫを受信する。次に、ＡＣＫに含まれるハンドオーバ先ノード３（ＡＲＱ情報）を対応表１０から検索し、ハンドオーバ元ノード２のユーザ名とハンドオーバ元ノード２のＡＲＱ情報とを抽出する。そして、抽出したユーザ（ハンドオーバ元ノード２）に対して、同じく抽出したハンドオーバ元ノード２のＡＲＱ情報から作成したＡＣＫを送信する。
【０１６５】
そして、ハンドオーバ先ノード３は、移動機４から受信した確認済（ＡＣＫ）および未確認（ＮＡＣＫ）の各情報に基づいて判別した自エンティティ情報と、対応表１０とを比較し、この比較により、ハンドオーバ先ノード３は、そのデータが転送されたハンドオーバ元ノード２を識別し、ＡＣＫ／ＮＡＣＫ情報を変換し、その変換したＡＣＫ／ＮＡＣＫ情報をハンドオーバ元ノード２に対して送信する。
【０１６６】
このように、転送・送信するに当たり、ハンドオーバ先ノード３が、ハンドオーバ元ノード２にて付与されるヘッダとハンドオーバ先ノード３にて付与されるヘッダとの対応表１０に基づいて、移動機４とフレームを送受信する。
（７−４−２）ハンドオーバ元ノード２にて付与されるヘッダとハンドオーバ先ノード３にて終端する方法
図３１は本発明の第２実施形態に係るハンドオーバ元ノード２にて付与されるヘッダをハンドオーバ先ノード３にて終端する方法を説明するための図である。この図３１に示すハンドオーバ先ノード３は、終端処理部１１を有する。この終端処理部１１は、転送データ（転送パケット）に含まれるハンドオーバ元ノード２にて付与されたＡＲＱを終端し、ユーザデータのみを取得するとともに、ハンドオーバ元ノード２に対してＡＣＫを返すものである。
【０１６７】
そして、ハンドオーバ元ノード２にて転送パケットは、プロトコルヘッダを付与されてハンドオーバ先ノード３に送信され、ハンドオーバ先ノード３に設けられた終端処理部１１にて終端され、乗せ替えされるようになっている。ハンドオーバ先ノード３は、ハンドオーバ元ノード２から受信した転送データを確認し、確認済（ＡＣＫ）信号をそのハンドオーバ元ノード２に返す。ハンドオーバ先ノード３は、転送データからハンドオーバ元ノード２によって付与されたプロトコルヘッダを取り除き、自エンティティのプロトコルヘッダを付与して移動機４に送信する。
【０１６８】
なお、図３１に示すもので上述したものと同一符号を有するものは同一のもの又は同様の機能を有するものを表す。
（７−５）ヘッダを取り除く場合の動作説明
図３２は本発明の第２実施形態に係るプロトコルヘッダ付け直しによる残留パケット転送方法を説明するためのシーケンス例を示す図である。（７−５−１）〜（７−５−９）はそれぞれ図３２の符号１〜９に対応する。
【０１６９】
（７−５−１）移動機４が受信した信号品質の低下により、ハンドオーバが開始する。ハンドオーバの起因は、移動機４からの要求又は移動機４からの無線状況報告に基づく上位ノード１の判断である。
（７−５−２）上位ノード１は、ハンドオーバ先ノード３に対して、ハンドオーバする移動機４を収容するリソースの確保を要求する。ハンドオーバ先ノード３は、この要求に基づいてリソースを確保する。また、上位ノード１とハンドオーバ先ノード３との間のメッセージ送受信が最初の場合は、共有チャネルを新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【０１７０】
（７−５−３）上位ノード１は、ハンドオーバ元ノード２に対して、ハンドオーバの実施を許可する。ハンドオーバ元ノード２は、許可を受信すると、上位ノード１に対して、サスペンド要求を送信し、新規パケットの送信を停止させる。なお、シーケンスにおいては、ハンドオーバ元ノード２がサスペンド要求を送信するが、上位ノード１自身が行なってもよい。
【０１７１】
（７−５−４）上位ノード１は、移動機４に対して、ハンドオーバ指示を送信する。移動機４は、その指示に従って、ハンドオーバ先ノード３と通信チャネルを確保する。
（７−５−５）ハンドオーバ元ノード２に残留しているデータをハンドオーバ先ノード３に転送するためのベアラチャネルが設定される。このベアラチャネルは、ハンドオーバ元ノード２とハンドオーバ先ノード３との間を直接接続してもよく、又は上位ノード１を介して設定してもよい。
【０１７２】
（７−５−６）上位ノード１は、ハンドオーバ元ノード２に対して、残留パケットの転送を要求する。ハンドオーバ元ノード２は、この要求に従って、前項で設定したベアラチャネルを用いて、ハンドオーバ先ノード３に対して残留パケットを転送する。ハンドオーバ先ノード３は、ハンドオーバ元ノード２からの残留パケットを受信し移動機４に対して、送信する。このとき、ハンドオーバ元ノード２はハンドオーバ前に引き続き転送データにプロトコルヘッダを付与して転送する。ハンドオーバ先ノード３においては、ハンドオーバ元ノード２にて付与されたプロトコルヘッダを終端するとともに、自プロトコルヘッダを付け直して移動機４に送信する。
【０１７３】
（７−５−７）残留パケットの転送が完了すると、ハンドオーバ元ノード２は、ハンドオーバした移動機４が確保していたリソースを開放するとともに上位ノード１に対して、リジューム要求を出力し、新規パケットの送信再開を要求する。なお、シーケンスは、ハンドオーバ元ノード２がリジューム要求を出力しているが、上位ノード１自身が行なってもよい。
【０１７４】
（７−５−８）上位ノード１は、リジューム要求を受信すると、残留パケット転送用に設定したベアラチャネルを開放する。
（７−５−９）新規パケットの送信を再開する。
このようにして、ハンドオーバ先ノード３がプロトコルヘッダを付け直すので、広帯域幅を確保しつつ収容可能なユーザ数を維持し、ソフトハンドオーバ時において効率よく回線をシェアできる。
【０１７５】
（８）パターンＤの説明
パターンＤは、残留パケットの転送中においても新規パケットを送信するとともに、転送データはカプセル化する方法である。
（８−１）このパターンＤは、ハンドオーバ先ノード３において、ハンドオーバ元ノード２に残留している転送データと、上位ノード１より送信された新規パケットとを調停しながら、移動機４に対して送信するようになっている。調停方法はパターンＢにおいて説明した方法と同一方法を用いることができる。
【０１７６】
また、残留パケット転送時において、ハンドオーバ元ノード２にて付与されたプロトコルヘッダのカプセル化又は付け替えを行なっているが、この方法はパターンＣにおいて説明した内容と同一方法を用いることができる。
図３３（ａ），（ｂ）〜図３５（ａ），（ｂ）はそれぞれ本発明の第２実施形態に係る他のパケット転送方法を説明するための図である。これらのうちの上述したものと同一のものあるいは同様の機能を有する。
【０１７７】
図３３（ａ）に示す移動機４が、ハンドオーバを開始すると、ハンドオーバ元ノード２は、品質劣化を検出する。ハンドオーバ先ノード３は、この検出を契機として、上位ノード１からのユーザデータに、Ｈ−ＡＲＱのためのヘッダを付与する（図３３（ｂ）参照）。また、ヘッダ付与の契機は、上位ノード１が品質劣化を検出してハンドオーバ元ノード２に対して通知する。
【０１７８】
次に、図３４（ａ）に示すハンドオーバ元ノード２は、上位ノード１に対して残留パケットを転送し、上位ノード１から、その残留パケットと新規パケットとが相互に調停されながらハンドオーバ先ノード３に対して送信される。そして、ハンドオーバ先ノード３は、残留パケットおよび新規パケットを移動機４へ送信する。
また、図３４（ｂ）に示すユーザデータは、ハンドオーバ元ノード２が上位ノード１に転送するときに、Ｈ−ＡＲＱを付与する。そして、ハンドオーバ先ノード３が上位ノード１から転送されたパケットを移動機４に対して送信するときに、さらに、Ｈ−ＡＲＱを付与し、相乗りを行なうのである。
【０１７９】
さらに、図３５（ａ）に示すハンドオーバ元ノード２が残留パケットの転送を完了すると、上位ノード１はハンドオーバ先ノード３に対して新規パケットを送信する。ここで、ハンドオーバ先ノード３は、図３５（ｂ）に示す新規パケットにＨ−ＡＲＱのためのヘッダを付与する。
（８−２）アライン
カプセル化を用いたときに相乗りによって、無線フレーム長が長くならないように、長さを調節する方法について説明する。相乗りヘッダは、ハンドオーバ元ノード２とハンドオーバ先ノード３とが、それぞれ、転送パケットに挿入したＨ−ＡＲＱヘッダであり、この相乗りヘッダなどの追加により無線フレーム長が予め決められたフォーマット長を超えることが生じる。
【０１８０】
この事態が生じた場合、無線フレームフォーマットに適合（アライン）させるために、ハンドオーバ先ノード３は、残留パケット側のデータ長の短縮、データ分割又はヘッダ圧縮を用いて、無線フレーム長を決められたフォーマット長に合わせる。なお、ハンドオーバ先ノード３は、シーケンス番号がどの基地局から送信されたものであるかを記憶しておくことにより、変換および再送プロトコルによる再送要求又は受信完了などの応答信号をハンドオーバ元ノード２にそれぞれ送受信することが好ましい。
【０１８１】
一方、ハンドオーバ先ノード３は、その事態を上位ノード１に通知して上位ノード１が無線フレームフォーマットを長くする指示を各ノードに出力するようにもできる。
すなわち、転送・送信するに当たり、ハンドオーバ先ノード３は、ハンドオーバ元ノード２にて付与されるプロトコルヘッダと移動機４に送信するフレームに付与するプロトコルヘッダとを含む相乗りフレームの容量を監視し（監視ステップ）、ハンドオーバ先ノード３が、監視ステップにて相乗りフレームの容量が予め決められた値を超えた場合は、相乗りフレームの短縮又は無線フレームフォーマットの増大を用いて相乗りフレームをアラインする（アラインステップ）。
【０１８２】
ここで、相乗りフレームの容量が予め決められた規定容量を超える場合は、例えば、ハンドオーバ先ノード３が移動機４に対して送信する情報量を小さくしたときに、過大な転送パケット又は新規パケットを受信する場合（図１３（ａ），（ｂ）参照）のほかに、相乗りを行なった結果、ヘッダ部およびデータ部を併せた長さが規定長を超える場合（図２５（ａ），（ｂ）〜図２８（ａ），（ｂ）参照）などが相当する。
【０１８３】
そして、相乗り時に無線フレームフォーマットを超えるような事態が生じると、ハンドオーバ先ノード３は、アラインに当たり、残留パケットのパケット長を短縮する。具体的には、残留パケットのデータ部の短縮、ヘッダ部の圧縮、残留パケットのデータ部の分割が行なわれる。
また、送信パケット長を短縮する代わりに、無線区間のフレームフォーマットを増加するようにもできる。すなわち、アラインに当たり、ハンドオーバ先ノード３が、所定容量を超えた相乗りフレームの容量よりも大きな容量の無線フレームフォーマットを設定するようにもできる。具体的には、相乗り時に無線フレームフォーマットを超えるような事態が生じると、ハンドオーバ先ノード３がその情報を上位ノード１に通知し、この上位ノード１からの指示を受信して無線フレームフォーマット長を長くすることにより、残留データ側のデータ長に無線フレーム長を合致させて送信するのである。
【０１８４】
（８−３）アクティベーションタイム（起動している時間）
移動機４は、ハンドオーバ終了後、ハンドオーバ先ノード３からカプセル化データと通常のカプセル化されていないデータとを混在して受信する。従って、移動機４は、両データを識別するための区切りが必要となる。このため、ハンドオーバ元ノード２は、ハンドオーバ先ノード３に対して、データ転送期間の最初と最後との区切りのタイミングをアクティベーションタイムとして通知するようになっている。すなわち、転送・送信に当たり、ハンドオーバ先ノード３が、移動機４に対して送信するフレームに、ハンドオーバ先ノード３自身と移動機４との両方が認識可能なアクティベーションタイムを用いることにより、カプセル化したパケットと通常のパケットとを識別する。
【０１８５】
ここで、アクティベーションタイムとして時間を用いる場合は、区切りタイミングを無線フレームタイミングにより表す。そして、移動機４は、例えば無線フレームの先頭ビットを境に、その先頭ビットの前の時間帯はカプセル化なし、後の時間帯はカプセル化ありと識別するのである。
また、アクティベーションタイムとしてシーケンス番号を用いる場合は、区切りタイミングをユーザデータの「何番目以降」と表す。アクティベーションタイムとして、例えばシーケンス番号が「１０」である場合、移動機４は、シーケンス番号が「０」〜「１０」のデータについてはカプセル化なし、シーケンス番号が「１０」以降のデータについてはカプセル化有りと識別する。
【０１８６】
なお、アクティベーションタイムは、上位ノード１が決定することが好ましい。そして、上位ノード１がこのアクティベーションタイムを決定すると、指示をハンドオーバ先ノード３および移動機４の双方に通知する。これらは、共通して認識したアクティベーションタイムを利用している。
（８−４）また、ハンドオーバ先ノード３が移動機４とシーケンス番号を用いて送達確認しているときは、ハンドオーバ先ノード３は、ハンドオーバ元ノード２にて付与された第１のＨ−ＡＲＱを用いたデータについて、ハンドオーバ先ノード３が、再送又は受信完了を応答する信号を送信するようにもできる。これにより、ハンドオーバ元ノード２は、移動機４に送信すべきデータ用のバッファ２ｇを開放する。そして、この後、ハンドオーバ先ノード３は、ハンドオーバ元ノード２から送信されたデータを、Ｈ−ＡＲＱにより移動機４に送信する。
【０１８７】
従って、転送・送信するに当たり、ハンドオーバ先ノード３が、ハンドオーバ元ノード２と移動機４との間にて用いられるＨ−ＡＲＱ情報を、ハンドオーバ先ノード３と移動機４との間にて用いられるＨ−ＡＲＱ情報に変換するようになっている。
さらに、転送・送信に当たり、ハンドオーバ先ノード３が、ハンドオーバ元ノード２が送信した第１のＨ−ＡＲＱを用いたデータに対して、ハンドオーバ先ノード３が再送又は受信完了を応答する信号を送信することにより、ハンドオーバ元ノード２が移動機４へのパケットを保持するバッファを開放し（開放ステップ）、ハンドオーバ先ノード３が、ハンドオーバ元ノード２が送信したデータを第２のＨ−ＡＲＱを用いて移動機４に送信するようにもできる（送信ステップ）。
【０１８８】
（９）パターンＤの動作説明
（９−１）このような構成により、カプセル化によるヘッダ相乗りおよびリソース配分要求を使用した調停を用いたシーケンス例について説明する。
シーケンス例として、カプセル化によるプロトコルヘッダ相乗り方法およびリソース配分要求を使用した調停方法を用いた場合と、プロトコルヘッダの付け直しおよびリソース配分要求を使用した調停方法とを用いた場合とについて説明する。なお、他の調停方法を用いる方法、プロトコルヘッダのカプセル化又は付け直し方法を用いてもよい。
【０１８９】
図３６は本発明の第２実施形態に係るパターンＤを説明するためのシーケンス例である。（９−１−１）〜（９−１−１１）はそれぞれ図３６の符号１〜１１に対応する。
（９−１−１）移動機４が受信した信号品質の低下により、ハンドオーバが開始する。なお、ハンドオーバの起因は、移動機４からの要求又は移動機４からの無線状況報告に基づく上位ノード１における判断である。
【０１９０】
（９−１−２）上位ノード１は、ハンドオーバ先ノード３に対して、ハンドオーバする移動機４を収容するリソースの確保を要求し、ハンドオーバ先ノード３は、この要求に基づいてリソースを確保する。また、上位ノード１とハンドオーバ先ノード３との間のメッセージ送受信が最初の場合は、共有チャネルを新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【０１９１】
（９−１−３）上位ノード１は、ハンドオーバ元ノード２に対して、ハンドオーバの実施を許可する。
（９−１−４）上位ノード１は、移動機４に対して、ハンドオーバ指示を送信する。移動機４は、その指示に従って、ハンドオーバ先ノード３と通信チャネルを確保する。
（９−１−５）上記ハンドオーバにおいて、移動機４は、ハンドオーバ元ノード２用の再送プロトコルエンティティに加えて、ハンドオーバ先ノード３用の再送プロトコルエンティティを起動する。
【０１９２】
（９−１−６）ハンドオーバ元ノード２に残留しているデータをハンドオーバ先ノード３に転送するためのベアラチャネルが設定される。このベアラチャネルは、ハンドオーバ元ノード２とハンドオーバ先ノード３との間を直接接続してもよく、又は上位ノード１を介して設定してもよい。
（９−１−７）上位ノード１は、ハンドオーバ元ノード２に対して、残留パケットの転送を要求する。
【０１９３】
（９−１−８）ハンドオーバ元ノード２は、ハンドオーバ先ノード３に対して、残留パケットを送信するために必要なリソースを配分するよう要求を送信する。ハンドオーバ先ノード３は、この要求を受信後、要求された分のリソースを確保しハンドオーバ元ノード２に対して、リソース確保を通知する。ハンドオーバ元ノード２は、リソース確保の通知を受信すると、残留パケットの転送を開始する。
【０１９４】
ハンドオーバ先ノード３は、割り当てたリソースに従って、転送された残留パケットおよび新規パケットを移動機４に送信する。このとき、ハンドオーバ元ノード２はハンドオーバ前に引き続き転送データにプロトコルヘッダを付与して転送する。ハンドオーバ先ノード３は、この転送データに自プロトコルヘッダを相乗りさせて移動機４に送信する。
（９−１−９）残留パケットの転送が完了すると、ハンドオーバ元ノード２は、ハンドオーバした移動機４が確保していたリソースを開放する。
【０１９５】
（９−１−１０）上位ノード１は、残留パケット転送用に設定したベアラチャネルを開放する。
（９−１−１１）上位ノード１は、移動機４に対して、ハンドオーバ元ノード２に対向していた再送プロトコルエンティティの解除を指示する。移動機４は、その指示に従って、ハンドオーバ元ノード２用の再送プロトコルエンティティを解除する。
【０１９６】
このように、カプセル化によるヘッダ相乗りおよびリソース配分要求を使用して調停できるので、データ疎通の完全性が保証される。
（９−２）ヘッダ付け直しおよびリソース配分要求を使用した調停を用いた場合の動作説明
図３７は本発明の第２実施形態に係るヘッダ付け直しおよびリソース配分要求を使用した調停方法を説明するためのシーケンス例である。（９−２−１）〜（９−２−９）はそれぞれ図３７の符号１〜９に対応する。
【０１９７】
（９−２−１）移動機４が受信した信号品質の低下により、ハンドオーバが開始する。ハンドオーバの起因は、移動機４からの要求又は移動機４からの無線状況報告に基づく上位ノード１における判断である。
（９−２−２）上位ノード１は、ハンドオーバ先ノード３に対して、ハンドオーバする移動機４を収容するリソースの確保を要求する。ハンドオーバ先ノード３は、この要求に基づいてリソースの確保を行なう。また、上位ノード１とハンドオーバ先ノード３との間のメッセージ送受信が最初の場合は、共有チャネルを新規に起動し、共有トランスポートチャネルを起動してハンドオーバを準備するとともに、ハンドオーバ準備完了を上位ノード１に対して送信する。また既に起動しているチャネルがある場合は、ユーザを追加する。
【０１９８】
（９−２−３）上位ノード１は、ハンドオーバ元ノード２に対して、ハンドオーバの実施を許可する。
（９−２−４）上位ノード１は、移動機４に対して、ハンドオーバ指示を送信する。移動機４は、その指示に従って、ハンドオーバ先ノード３と通信チャネルを確保する。
（９−２−５）ハンドオーバ元ノード２に残留しているデータをハンドオーバ先ノード３に転送するためのベアラチャネルが設定される。このベアラチャネルはハンドオーバ元ノード２とハンドオーバ先ノード３との間を直接接続するように設定してもよく、又は上位ノード１を経由するように設定してもよい。
【０１９９】
（９−２−６）上位ノード１は、ハンドオーバ元ノード２に対して、残留パケットの転送を要求する。
（９−２−７）ハンドオーバ元ノード２は、ハンドオーバ先ノード３に対して、残留パケットを送信するために必要なリソースを配分するよう要求を送信する。ハンドオーバ先ノード３は、この要求を受信後、要求された分のリソースを確保しハンドオーバ元ノード２に対して、リソース確保を通知する。ハンドオーバ元ノード２は、リソース確保の通知を受信すると、残留パケットの転送を開始する。ハンドオーバ先ノード３は、割り当てたリソースに従って、転送された残留パケットおよび新規パケットを移動機４に送信する。
【０２００】
このとき、ハンドオーバ元ノード２はハンドオーバ前に引き続き転送データにプロトコルヘッダを付与して転送する。ハンドオーバ先ノード３は、ハンドオーバ元ノード２にて付与されたプロトコルヘッダを終端するとともに、自プロトコルヘッダを付け直して移動機４に送信する。
（９−２−８）残留パケットの転送が完了すると、ハンドオーバ元ノード２は、ハンドオーバした移動機４が確保していたリソースを開放する。
【０２０１】
（９−２−９）上位ノード１は、残留パケット転送用に設定したベアラチャネルを開放する。
このようにして、ヘッダ付け直しおよびリソース配分要求を使用した調停を用いるので、データが完全に転送される。
なお、本発明は上述した実施態様およびその変形例に限定されるものではなく、本発明の趣旨を逸脱しない範囲で、種々変形して実施することができる。
【０２０２】
図１において、移動機４が、例えば基地局３−０から基地局３−３に移動する場合は、基地局３−０を制御するＨＳ−ＤＳＣＨから、基地局３−３を制御するＨＳ−ＤＳＣＨに切り替えることによってハンドオーバ可能である。この場合においても、基地局３−０は、基地局３−３，ＲＮＣ２−０又は交換機１に対して上記と同様のメッセージを送受信し、基地局３−０自身に残っている残留データを基地局３−３に転送できる。なお、ＤＳＣＨを用いた場合においても、ＤＳＣＨ同士で切り替えできる。
【０２０３】
（Ｃ）その他
（１）前記転送・送信ステップは、ハンドオーバ元ノード２および上位ノード１のうちの少なくとも一方が、ハンドオーバ先ノード３に対して、残留パケットを保持するリソースを確保して調停することにより新規パケットを送信することも可能である。
（２）前記転送・送信ステップは、ハンドオーバ元ノード２および上位ノード１のうちの少なくとも一方のノードが、ハンドオーバ先ノード３に設けられた残留パケットを保持するリソースの容量を測定する測定ステップと、ハンドオーバ元ノード２が、測定ステップにて測定したリソースの容量に基づいて、残留パケットのうちの転送可能なものを転送して調停する調停ステップとを含めてもよい。
【０２０４】
（３）前記転送・送信ステップは、ハンドオーバ先ノード３，ハンドオーバ元ノード２および上位ノード１のうちのいずれかのノードが、新規パケットを保持するリソースの容量に基づいて、残留パケットの分割数を調整して調停することもできる。
（４）前記転送・送信ステップは、ハンドオーバ元ノード２が、残留パケットを、無線区間における通信レートに応じたデータ量を有する複数のパケットに分割する分割ステップと、ハンドオーバ元ノード２が、分割ステップにて分割した複数の分割パケットをハンドオーバ先ノード３に対して送信する分割送信ステップと、ハンドオーバ先ノード３が、分割送信ステップにて送信された複数の分割パケットと上位ノード１から送信された複数の新規パケットとが混在する複数のパケットを、受信順に基づいて移動機４に対して送信する着順送信ステップとを含めてもよい。
【０２０５】
（５）前記転送・送信ステップは、ハンドオーバ先ノード３が、無線区間の送信間隔を変化させるようにしてもよい。
（６）前記分割送信ステップは、ハンドオーバ先ノード３が、パケット転送しているときに無線送信間隔を変化させるようにしてもよい。
（７）前記分割送信ステップは、ハンドオーバ元ノード２が、単位送信間隔におけるデータ量を変化させて送信するようにしてもよい。
【０２０６】
（８）前記転送・送信ステップは、ハンドオーバ先ノード３が、無線区間のフレームフォーマットを変更させるようにしてもよい。
（９）前記転送・送信ステップは、ハンドオーバ先ノード３が、転送パケットに含まれるハンドオーバ元ノード２にて付与された再送制御に関する情報を終端してユーザデータを取得して再送制御をしてもよい。
【０２０７】
（１０）前記転送・送信ステップは、ハンドオーバ先ノード３が、移動機４に対して送信するフレームに、残留パケット用のヘッダ領域を常時確保するようにしてもよい。
（１１）前記転送・送信ステップは、ハンドオーバ先ノード３において、ハンドオーバ元ノード２にて付与されるプロトコルヘッダと移動機４に送信するフレームに付与するプロトコルヘッダとを含む相乗りフレームの容量を監視する監視ステップと、ハンドオーバ先ノード３が、監視ステップにて相乗りフレームの容量が所定値を超えた場合は、相乗りフレームの短縮と無線フレームフォーマットの増大とのうちの少なくとも一方を用いて相乗りフレームをアラインするアラインステップとを含めてもよい。
【０２０８】
（１２）前記アラインステップは、ハンドオーバ先ノード３が、残留パケットのパケット長を短縮するようにしてもよい。
（１３）前記アラインステップは、ハンドオーバ先ノード３が、所定容量を超えた相乗りフレームの容量よりも大きな容量の無線フレームフォーマットを設定するようにしてもよい。
【０２０９】
（１４）前記転送・送信ステップは、ハンドオーバ先ノード３が、移動機４に対して送信するフレームに、ハンドオーバ先ノード３自身と移動機４との両方が認識可能なアクティベーションタイムを用いることにより、カプセル化したパケットと通常のパケットとを識別するようにしてもよい。
（１５）前記転送・送信ステップは、ハンドオーバ先ノード３が、シーケンス番号を送信した下位ノードを記憶することにより、変換、再送プロトコルによる再送要求又は受信完了等の応答信号をハンドオーバ元ノード２にそれぞれ送信するようにしてもよい。
【０２１０】
（１６）前記転送・送信ステップは、ハンドオーバ先ノード３が、ハンドオーバ元ノード２が送信した第１のハイブリッド再送制御を用いたデータに対して、ハンドオーバ先ノード３が再送又は受信完了を応答する信号を送信することにより、ハンドオーバ元ノード２が移動機４宛のパケットを保持するバッファを開放する開放ステップと、ハンドオーバ先ノード３が、ハンドオーバ元ノード２が送信したデータを第２のハイブリッド再送制御を用いて移動機４に送信する送信ステップとを含めてもよい。
【０２１１】
（１７）前記第２送信部は、移動機４に送信する無線フレームに付与する第１ヘッダとハンドオーバ元ノード２にて付与される第２ヘッダとを含む相乗りフレームの有無を示す識別情報とパケット長とに基づいて、再送制御ヘッダを付与してもよい。
【産業上の利用可能性】
【０２１２】
以上のように、本発明によれば、Ｗ−ＣＤＭＡシステムにおいて、ハンドオーバ時に基地局から移動機に対する複数のチャネルを用いた同一信号の送信が不要となるため、ユーザ数の増加および通信品質の向上が図れ、伝送路および無線リソースが有効に活用できる。
また、ユーザデータの損失が防止でき、さらに、通信レートの安定およびリアルタイム性の向上など、各種類のサービスの質が改善される。加えて、Ｗ−ＣＤＭＡシステムにおけるコストパフォーマンスが向上する。
【図面の簡単な説明】
【０２１３】
【図１】本発明を適用されるＷ−ＣＤＭＡシステムの要部の構成図である。
【図２】本発明の第１実施形態に係る上位ノードの概略的なブロック図である。
【図３】本発明の第１実施形態に係る基地局のブロック図である。
【図４】本発明の第１実施形態に係る基地局のブロック図である。
【図５】本発明の第１実施形態に係る移動機のブロック図である。
【図６】本発明の第１実施形態に係るパケット転送・送信方法を説明するための図である。
【図７】（ａ）〜（ｅ）はそれぞれ本発明の第１実施形態に係るパターンＡの動作を説明するための図である。
【図８】本発明の第１実施形態に係るパターンＡの動作を説明するためのシーケンス例である。
【図９】（ａ）〜（ｃ）はそれぞれ本発明の第１実施形態に係るパターンＢを説明するための図である。
【図１０】本発明の第１実施形態に係るリソース配分要求による調停方法を説明するための図である。
【図１１】本発明の第１実施形態に係る空きバッファ容量の測定による転送方法を説明するためのフローチャートである。
【図１２】本発明の第１実施形態に係る分散転送を説明するための図である。
【図１３】（ａ），（ｂ）はそれぞれ本発明の第１実施形態に係る送信間隔を変化させる転送方法を説明するための図である。
【図１４】（ａ），（ｂ）はそれぞれ本発明の第１実施形態に係るハンドオーバ先ノードから移動機へ送信する単位データ量を変化させる方法を説明するための図である。
【図１５】（ａ），（ｂ）はそれぞれ本発明の第１実施形態に係るデータ転送用のトランスポートチャネルを追加する方法を説明するための図である。
【図１６】（ａ）〜（ｄ）はそれぞれ本発明の第１実施形態に係るサブチャネルの構成を変化させる転送方法を説明するための図である。
【図１７】本発明の第１実施形態に係るリソース配分要求による転送方法を説明するためのシーケンス例である。
【図１８】本発明の第１実施形態に係る分散転送による転送方法を説明するためのシーケンス例である。
【図１９】本発明の第１実施形態に係る送信間隔／情報量の変更，トランスポートチャネル追加およびサブチャネル構成の変更方法を説明するためのシーケンス例である。
【図２０】（ａ），（ｂ）はそれぞれ本発明の第２実施形態に係る第１のパケット転送方法を説明するための図である。
【図２１】本発明の第２実施形態に係る第２のパケット転送方法を説明するための図である。
【図２２】（ａ），（ｂ）は本発明の第２実施形態に係る第３のパケット転送方法を説明するための図である。
【図２３】本発明の第２実施形態に係る第４のパケット転送方法を説明するための図である。
【図２４】（ａ），（ｂ）は本発明の第２実施形態に係る第５のパケット転送方法を説明するための図である。
【図２５】（ａ），（ｂ）はそれぞれ本発明の第２実施形態に係る第１のフレームフォーマットを説明するための図である。
【図２６】（ａ），（ｂ）はそれぞれ本発明の第２実施形態に係る第２のフレームフォーマットを説明するための図である。
【図２７】（ａ），（ｂ）はそれぞれ本発明の第２実施形態に係る第３のフレームフォーマットを説明するための図である。
【図２８】（ａ），（ｂ）はそれぞれ本発明の第２実施形態に係る第４のフレームフォーマットを説明するための図である。
【図２９】本発明の第２実施形態に係るカプセル化による残留パケット転送方法を説明するためのシーケンス例である。
【図３０】本発明の第２実施形態に係る対応表を用いてヘッダ情報を転送データに付与する方法を説明するための図である。
【図３１】本発明の第２実施形態に係るハンドオーバ元ノードにて付与されるヘッダをハンドオーバ先ノードにて終端する方法を説明するための図である。
【図３２】本発明の第２実施形態に係るプロトコルヘッダ付け直しによる残留パケット転送方法を説明するためのシーケンス例を示す図である。
【図３３】（ａ），（ｂ）はそれぞれ本発明の第２実施形態に係る他のパケット転送方法を説明するための図である。
【図３４】（ａ），（ｂ）はそれぞれ本発明の第２実施形態に係る他のパケット転送方法を説明するための図である。
【図３５】（ａ），（ｂ）はそれぞれ本発明の第２実施形態に係る他のパケット転送方法を説明するための図である。
【図３６】本発明の第２実施形態に係るパターンＤを説明するためのシーケンス例である。
【図３７】本発明の第２実施形態に係るヘッダ付け直しおよびリソース配分要求を使用した調停方法を説明するためのシーケンス例である。
【図３８】Ｗ−ＣＤＭＡシステムの概略的な構成図である。
【図３９】（ａ）はハンドオーバ前の状態を示す図であり、（ｂ）はハンドオーバ後の状態を示す図である。
【図４０】ＤＳＣＨを説明するための図である。
【図１】
2008228318.tif 000003
【図２】
2008228318.tif 000004
【図３】
2008228318.tif 000005
【図４】
2008228318.tif 000006
【図５】
2008228318.tif 000007
【図６】
2008228318.tif 000008
【図７】
2008228318.tif 000009
【図８】
2008228318.tif 000010
【図９】
2008228318.tif 000011
【図１０】
2008228318.tif 000012
【図１１】
2008228318.tif 000013
【図１２】
2008228318.tif 000014
【図１３】
2008228318.tif 000015
【図１４】
2008228318.tif 000016
【図１５】
2008228318.tif 000017
【図１６】
2008228318.tif 000018
【図１７】
2008228318.tif 000019
【図１８】
2008228318.tif 000020
【図１９】
2008228318.tif 000021
【図２０】
2008228318.tif 000022
【図２１】
2008228318.tif 000023
【図２２】
2008228318.tif 000024
【図２３】
2008228318.tif 000025
【図２４】
2008228318.tif 000026
【図２５】
2008228318.tif 000027
【図２６】
2008228318.tif 000028
【図２７】
2008228318.tif 000029
【図２８】
2008228318.tif 000030
【図２９】
2008228318.tif 000031
【図３０】
2008228318.tif 000032
【図３１】
2008228318.tif 000033
【図３２】
2008228318.tif 000034
【図３３】
2008228318.tif 000035
【図３４】
2008228318.tif 000036
【図３５】
2008228318.tif 000037
【図３６】
2008228318.tif 000038
【図３７】
2008228318.tif 000039
【図３８】
2008228318.tif 000040
【図３９】
2008228318.tif 000041
【図４０】
2008228318.tif 000042
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
移動局の移動に応じて実行するハンドオーバ処理に応じて、第１の基地局における残留パケットデータを第２の基地局に転送する移動通信システムにおいて、
前記第２の基地局は、前記第１の基地局から転送された前記残留パケットデータ及び別途前記第２の基地局に与えられた新規パケットデータの双方を前記転送の完了を待たずに、該新規パケットデータの送信開始後においても更に前記残留パケットデータの送信を許容しつつ、前記移動局に対して送信することを可能とした制御部を備え、
前記第２の基地局は、前記移動局へのパケットデータの伝送において、取得したパケットデータを無線伝送路へ送出すべく無線信号への変換処理を実行する、前記移動局との無線通信のインタフェース部として機能し、
前記移動局は、前記制御部による制御を受けたパケットデータを受信する受信部を含む、
ことを特徴とする、移動通信システム。
【請求項２】
移動局の移動に応じて実行するハンドオーバ処理に応じて、第１の基地局における残留パケットデータを第２の基地局に転送する移動通信システムにおける送信制御方法において、
前記第２の基地局は、前記移動局へのパケットデータの伝送において、取得したパケットデータを無線伝送路へ送出すべく無線信号への変換処理を実行する、前記移動局との無線通信のインタフェース部として機能し、
前記第２の基地局は、前記第１の基地局から転送された前記残留パケットデータ及び別途前記第２の基地局に与えられた新規パケットデータの双方を前記転送の完了を待たずに、該新規パケットデータの送信開始後においても更に前記残留パケットデータの送信を許容しつつ、前記移動局に対して送信し、
前記移動局は、前記制御部による制御を受けたパケットデータを受信する、
ことを特徴とする、移動通信システムにおける送信制御方法。
【請求項３】
移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、
前記ハンドオーバ元の基地局から転送された前記残留パケットデータ及び別途上位ノードから与えられた新規パケットデータの双方を前記転送の完了を待たずに、該新規パケットデータの送信開始後においても更に前記残留パケットデータの送信を許容しつつ、前記移動局に対して送信することを可能とした制御部を備え、
ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する、
ことを特徴とする、基地局。
【請求項４】
移動局の移動に応じて実行するハンドオーバ処理に応じて、第１の基地局における残留パケットデータを第２の基地局に転送する移動通信システムにおいて、
前記第２の基地局は、前記第１の基地局から転送された前記残留パケットデータを、別途前記第２の基地局に与えられた新規パケットデータの送信開始後においても、前記移動局に対して送信することを可能とした制御部を備え、
前記第２の基地局は、前記移動局へのパケットデータの伝送において、取得したパケットデータを無線伝送路へ送出すべく無線信号への変換処理を実行する、前記移動局との無線通信のインタフェース部として機能し、
前記移動局は、前記制御部による制御を受けたパケットデータを受信する受信部を含む、
ことを特徴とする、移動通信システム。
【請求項５】
移動局の移動に応じて実行するハンドオーバ処理に応じて、第１の基地局における残留パケットデータを第２の基地局に転送する移動通信システムにおける送信制御方法において、
前記第２の基地局は、前記移動局へのパケットデータの伝送において、取得したパケットデータを無線伝送路へ送出すべく無線信号への変換処理を実行する、前記移動局との無線通信のインタフェース部として機能し、
前記第２の基地局は、前記第１の基地局から転送された前記残留パケットデータを、別途前記第２の基地局に与えられた新規パケットデータの送信開始後においても、前記移動局に対して送信し、
前記移動局は、前記制御部による制御を受けたパケットデータを受信する、
ことを特徴とする、移動通信システムにおける送信制御方法。
【請求項６】
移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、
前記ハンドオーバ元の基地局から転送された前記残留パケットデータを別途上位ノードから与えられた新規パケットデータの送信開始後においても、前記移動局に対して送信することを可能とした制御部を備え、
ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する、
ことを特徴とする、基地局。
【手続補正２】
【補正対象書類名】明細書
【補正対象項目名】００１３
【補正方法】変更
【補正の内容】
【００１３】
例えば、以下の手段を用いる。
（１）移動局の移動に応じて実行するハンドオーバ処理に応じて、第１の基地局における残留パケットデータを第２の基地局に転送する移動通信システムにおいて、前記第２の基地局は、前記第１の基地局から転送された前記残留パケットデータ及び別途前記第２の基地局に与えられた新規パケットデータの双方を前記転送の完了を待たずに、該新規パケットデータの送信開始後においても更に前記残留パケットデータの送信を許容しつつ、前記移動局に対して送信することを可能とした制御部を備え、前記第２の基地局は、前記移動局へのパケットデータの伝送において、取得したパケットデータを無線伝送路へ送出すべく無線信号への変換処理を実行する、前記移動局との無線通信のインタフェース部として機能し、前記移動局は、前記制御部による制御を受けたパケットデータを受信する受信部を含む、移動通信システムを用いることができる。
【手続補正３】
【補正対象書類名】明細書
【補正対象項目名】００１４
【補正方法】変更
【補正の内容】
【００１４】
（２）移動局の移動に応じて実行するハンドオーバ処理に応じて、第１の基地局における残留パケットデータを第２の基地局に転送する移動通信システムにおける送信制御方法において、前記第２の基地局は、前記移動局へのパケットデータの伝送において、取得したパケットデータを無線伝送路へ送出すべく無線信号への変換処理を実行する、前記移動局との無線通信のインタフェース部として機能し、前記第２の基地局は、前記第１の基地局から転送された前記残留パケットデータ及び別途前記第２の基地局に与えられた新規パケットデータの双方を前記転送の完了を待たずに、該新規パケットデータの送信開始後においても更に前記残留パケットデータの送信を許容しつつ、前記移動局に対して送信し、前記移動局は、前記制御部による制御を受けたパケットデータを受信する、移動通信システムにおける送信制御方法を用いることができる。
【手続補正４】
【補正対象書類名】明細書
【補正対象項目名】００１５
【補正方法】変更
【補正の内容】
【００１５】
（３）さらに、移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、前記ハンドオーバ元の基地局から転送された前記残留パケットデータ及び別途上位ノードから与えられた新規パケットデータの双方を前記転送の完了を待たずに、該新規パケットデータの送信開始後においても更に前記残留パケットデータの送信を許容しつつ、前記移動局に対して送信することを可能とした制御部を備え、ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する、基地局を用いることができる。
（４）また、移動局の移動に応じて実行するハンドオーバ処理に応じて、第１の基地局における残留パケットデータを第２の基地局に転送する移動通信システムにおいて、前記第２の基地局は、前記第１の基地局から転送された前記残留パケットデータを、別途前記第２の基地局に与えられた新規パケットデータの送信開始後においても、前記移動局に対して送信することを可能とした制御部を備え、前記第２の基地局は、前記移動局へのパケットデータの伝送において、取得したパケットデータを無線伝送路へ送出すべく無線信号への変換処理を実行する、前記移動局との無線通信のインタフェース部として機能し、前記移動局は、前記制御部による制御を受けたパケットデータを受信する受信部を含む、移動通信システムを用いることができる。
（５）さらに、移動局の移動に応じて実行するハンドオーバ処理に応じて、第１の基地局における残留パケットデータを第２の基地局に転送する移動通信システムにおける送信制御方法において、前記第２の基地局は、前記移動局へのパケットデータの伝送において、取得したパケットデータを無線伝送路へ送出すべく無線信号への変換処理を実行する、前記移動局との無線通信のインタフェース部として機能し、前記第２の基地局は、前記第１の基地局から転送された前記残留パケットデータを、別途前記第２の基地局に与えられた新規パケットデータの送信開始後においても、前記移動局に対して送信し、前記移動局は、前記制御部による制御を受けたパケットデータを受信する、移動通信システムにおける送信制御方法を用いることができる。
（６）また、移動局の移動に応じて実行するハンドオーバ処理に応じて、ハンドオーバ元の基地局における残留パケットデータをハンドオーバ先の基地局に転送する移動通信システムにおいてハンドオーバ先の基地局として機能し得る基地局において、前記ハンドオーバ元の基地局から転送された前記残留パケットデータを別途上位ノードから与えられた新規パケットデータの送信開始後においても、前記移動局に対して送信することを可能とした制御部を備え、ハンドオーバ先となり得る該基地局は、前記移動局へのパケットデータの伝送において、取得したパケットデータを無線伝送路へ送出すべく無線信号への変換処理を実行する、前記移動局との無線通信のインタフェース部として機能する、基地局を用いることができる。